(57)【要約】【課題】任意の無線給電装置からこれに隣接する無線給電装置へと無線給電による電力供給が可能な無線給電装置及び無線給電システムを提供することを目的とする。【解決手段】実施形態によれば、ブロック２は、少なくとも２つ以上の側面部３に近接してそれぞれに無線給電用コイル２２が配置されている。各無線給電用コイル２２にそれぞれ直列に接続されたスイッチ２３を一組のペアとし、このペアが少なくとも２つ以上並列接続された無線給電用コイル部２０がある。無線給電コイル部２０に接続され前記無線給電装置を稼動させるため電力供給部３６と、無線給電用コイル部２０の各スイッチ２３の切り替えを行う切替部３３があり、制御部３２は、無線給電のための制御を行う。【選択図】図１
2019170067.tif 000002
【特許請求の範囲】
【請求項１】
無線給電装置であって、
前記無線給電装置の少なくとも２つ以上の側面部側に設けられた無線給電用コイルと、前記無線給電用コイルに直列接続されたスイッチとをペアとし、該ペアが少なくとも２つ以上が互いに並列接続された無線給電用コイル部と、
前記無線給電用コイル部に接続され前記無線給電装置を稼動させるための電力供給部と、
前記各スイッチのオン、オフの切替を行う切替部と、
前記無線給電装置の無線給電のための制御を行う制御部と、
を有する無線給電装置。
【請求項２】
前記無線給電装置は、画像データ等を転送するための、少なくとも２つ以上の送受信部を有する請求項１に記載の無線給電装置。
【請求項３】
前記送受信部に含まれる近接無線通信用コイルと、前記無線給電用コイルとは並んで前記側面部側に配置された請求項１または２に記載の無線給電装置。
【請求項４】
前記無線給電装置は、複数の面のいずれか一つにＡＣ電源に接続されるソケットを有する請求項１から３のいずれか１つに記載の無線給電装置。
【請求項５】
前記無線給電装置は、無線LANによる無線通信部を有する請求項１から４のいずれか１つに記載の無線給電装置。
【請求項６】
前記無線給電装置は、表示部を有する請求項１から５のいずれか１つに記載の無線給電装置。
【請求項７】
前記無線給電用コイルの一方は、他方に対し無線給電の影響を与えない配置になっている請求項１から６のいずれか１つに記載の無線給電装置。
【請求項８】
請求項１から７のいずれか１つに記載の無線給電装置を複数含む無線給電システム。
【請求項９】
請求項１から７のいずれか１つに記載の第１の無線給電装置と、第２の無線給電装置とから構成される無線給電システムであって、
前記第２の無線給電装置は、
少なくとも１つ以上の側面部側に設けられた無線給電用コイルと、
前記無線給電用コイルに直列接続されたスイッチとをペアとする無線給電用コイル部と、
前記無線給電用コイル部と並列接続された負荷部と、前記無線給電用コイル部に接続され前記無線給電装置を稼動させるための電力供給部と、
前記各スイッチのオン、オフの切替を行う切替部と、
前記無線給電装置の無線給電のための制御を行う制御部と、
を有する無線給電システム。
【発明の詳細な説明】
【技術分野】
【０００１】
本発明の実施形態は、無線給電装置及び無線給電システムに関する。
【背景技術】
【０００２】
特許文献１に示す公知例のように、複数配置された表示装置において互いに無線により画像データ等の転送が可能な表示画面を有する表示装置及びこれを複数配置して構成される表示システムがある。
【０００３】
しかし、該公知例の表示装置においては該画像データ転送等のための電力は自身に内蔵するバッテリーを用いて行う。この場合、表示システムの中のいずれかの表示装置の電源が切れてしまうとその表示装置に表示されていた画像が消えてしまい表示システムとして機能しなくなる問題点があった。
【先行技術文献】
【特許文献】
【０００４】
【特許文献１】特開２０１６−１７０３９８号公報
【発明の概要】
【発明が解決しようとする課題】
【０００５】
そこで、実施形態は、無線給電装置が複数互いに隣り合って配置された場合、そのうちの任意の無線給電装置からこれに隣接する無線給電装置へと無線給電による電力供給が可能な無線給電装置及び無線給電システムを提供することを目的とする。
【課題を解決するための手段】
【０００６】
実施形態によれば、前記無線給電装置の少なくとも２つ以上の側面部側に設けられた無線給電用コイルと、前記無線給電用コイルに直列接続されたスイッチとをペアとし、該ペアが少なくとも２つ以上が互いに並列接続された無線給電用コイル部と、前記無線給電用コイル部に接続され前記無線給電装置を稼動させるための電力供給部と、前記各スイッチのオン、オフの切替を行う切替部と、前記無線給電装置の無線給電のための制御を行う制御部とを有する無線給電装置が提供される。
【図面の簡単な説明】
【０００７】
【図１】実施形態に係わる表示システム１の使用態様を説明するための図である。
【図２Ａ】実施形態に係わる表示ブロック２の側面部側に配置される各種コイル等を示す図である。
【図２Ｂ】実施形態に係わる表示ブロック２の側面部側に配置される各種コイル等及びソケットを示す図である。
【図３】実施形態に係わる表示ブロック２の側面部側に配置される無線給電用コイル部２０を示す図である。
【図４】実施形態に係わる表示ブロック２の各側面に対応して配置される無線給電用コイル部２０の図である。
【図５】実施形態に係わる表示ブロック２の内部構成を示す無線給電を行うためのブロック図である。
【図６】実施形態に係わる表示ブロック２の内部構成を示す画像データ転送等を行うためのブロック図である。
【図７】スマートフォン７の内部構成を示すブロック図である。
【図８】実施形態に係わるスマートフォン７のメモリ５６又はROM５４に記憶された表示ブロック情報テーブルTBL1の例を示す図である。
【図９】実施形態に係わる画像データ等の転送を行う９個のブロック２で表示面１ａが正方形になるように配置した表示システム１の構成図である。
【図１０】実施形態に係わるスマートフォン７において実行される画像表示アプリケーションプログラムの処理の流れの例を示すフローチャートである。
【図１１】実施形態に係わるブロック２の状態情報テーブルTBL2の初期化時の状態を示す図である。
【図１２】実施形態に係わる状態情報テーブルTBL2に書き込まれる探索状態と隣接番号の取り得る状態変数の値を示す図である。
【図１３】実施形態に係わる各ブロック２の電源がオンされると実行される処理の流れの例を示すフローチャートである。
【図１４】実施形態に係わる各ブロック２における、S3の探索要求・応答コマンド処理の流れの例を示すフローチャートである。
【図１５】実施形態に係わる各ブロック２における、S3の探索要求・応答コマンド処理の流れの例を示すフローチャートである。
【図１６】実施形態に係わる各ブロック２における、S3の探索要求・応答コマンド処理の流れの例を示すフローチャートである。
【図１７】実施形態に係わる各ブロック２における、S3の探索要求・応答コマンド処理の流れの例を示すフローチャートである。
【図１８】実施形態に係わる各ブロック２における、S3の探索要求・応答コマンド処理の流れの例を示すフローチャートである。
【図１９】実施形態に係わる各ブロック２における、S3の探索要求・応答コマンド処理の流れの例を示すフローチャートである。
【図２０】実施形態に係わるブロック２（１）がスマートフォン７から探索要求コマンドSCを送受信部４０Aにおいて受信して、S14の処理の実行後における、状態情報テーブルTBL2の状態を示す図である。
【図２１】実施形態に係わるブロック２（１）において、S15の処理の実行により、送受信部４０Bがまず出力送受信部とされたときにおける、状態情報テーブルTBL2の状態を示す図である。
【図２２】実施形態に係わるブロック（８）へ探索応答RCを送信したブロック２（１）における状態情報テーブルTBL2の状態を示す図である。
【図２３】実施形態に係わるブロック（１）がブロック（８）へ送信する探索応答RCに含まれる経路情報ストリングPISを示す図である。
【図２４】実施形態に係わるブロック（８）がブロック２（７）へ探索応答RCを送信した場合におけるブロック（８）の状態情報テーブルTBL2の状態を示す図である。
【図２５】実施形態に係わるブロック２（１）がブロック２（２）から探索応答RCを受信後の状態情報テーブルTBL2の状態を示す図である。
【図２６】実施形態に係わるブロック２（１）がブロック２（９）へ探索要求コマンドSCを送信したときにおける状態情報テーブルTBL2の状態を示す図である。
【図２７】実施形態に係わるブロック２（１）がブロック２（９）から探索応答RCを受信後における状態情報テーブルTBL2の状態を示す図である。
【図２８】実施形態に係わるブロック２（１）がブロック２（８）から探索応答RCを受信後における状態情報テーブルTBL2の状態を示す図である。
【図２９】実施形態に係わるブロック２（１）からスマートフォン７へ送信される探索応答RCに含まれる経路情報ストリングPISを示す図である。
【図３０】実施形態に係わる表示システム１における探索要求コマンドSCの流れを示す図である。
【図３１】実施形態に係わるS3においてブロック配置情報を生成するための隣接行列作成処理の流れの例を示すフローチャートである。
【図３２】実施形態に係わる隣接行列初期化処理の流れの例を示すフローチャートである。
【図３３】実施形態に係わるS112において生成された隣接行列テーブルの例を示す図である。
【図３４】実施形態に係わる図３１の処理の結果、ブロック２間の接続関係の情報を含む隣接行列テーブルTBL3の一部を示す図である。
【図３５】実施形態に係わる無線給電を行う９個のブロック２で表示面１ａが正方形になるように配置した表示システム１の構成図である。
【図３６】実施形態に係わる無線給電を行う９個のブロック２で表示面１ａが正方形になるように配置した表示システム１の構成図である。
【図３７】ブロック２の背面側に設けられた無線給電用コイルを内蔵した格納可能な筐体を示す図である。
【図３８】図５に示すブロック図に充電器及びＤＣ／ＡＣインバータが加わった図である。
【図３９】バッテリー残量管理のためのデータテーブルを示す図である。
【図４０】表示部３４を有さない３個のブロック２を示す図である。
【図４１】２つの離れた表示システムの間に配置された表示部３４を有さない１つのブロックを示す図である。
【図４２】図３８に示すブロック図にさらに変調・復調回路が加わった図である。
【図４３】表示システム１を構成する各ブロックの配置探索のため各無線給電用コイルに印加される電圧及び各スイッチのＯＮ、ＯＦＦのタイミングチャートである。
【図４４】スマートフォン７及び表示システム１を構成する各ブロック２におけるアクセスポイント及びステーションの配置に関する説明の図である。
【図４５】スマートフォン７及び表示システム１を構成する各ブロック２におけるアクセスポイント及びステーションの配置に関する説明の図である。
【図４６】表示システム１を構成する各ブロック２の配置探索のために表示部３４に表示された情報をスマートフォン７で撮影する図である。
【図４７Ａ】ブロック２の側面部３に改良を加えた構成を示す図である。
【図４７Ｂ】ブロック２の側面部３に改良を加えた構成を示す図である。
【図４８】２つの隣り合うブロックの２つの側面部３から出る互いの蓋部１４３同士が連結した状態を示す図である。
【発明を実施するための形態】
【０００８】
以下、図面を参照して実施形態を説明する。
（構成）
図１は、本実施形態に係わる画像等の表示を行う表示システム１（以下、表示システム１）の使用態様を説明するための図である。図２Ａは、実施形態に係わる表示システム１を構成する各表示ブロック２（以下、ブロック２）の側面部３側に配置される各種コイルを示す図であり、図２Ｂは、該各種コイルに加え、ソケットを示す図である。図３は、ブロック２内に配置される無線給電用コイル部２０である。図４は、図３に示した無線給電用コイル部２０の各コイル２２Ａ乃至２２Ｄがそれぞれブロック２の側面側に配置した場合を示す図である。
【０００９】
図５は、無線給電を行うためのブロック２の内部構成を示すブロック図である。図６は、画像等のデータ通信を行うためのブロック２の内部構成を示すブロック図である。尚、ブロック２には制御部３２、表示部３４に加え、図５及び図６の制御部３２及び表示部３４を除いた各図に示された他の全てのブロック回路が組合わされて内蔵されている。図７は、スマートフォン７の回路構成を示す図である。
【００１０】
図１に示す各ブロック２は、例えば主面としての表示面２ａの形状が、例えば正方形となっている直方体もしくは立方体形状であり、その側面側に４つの側面部３を有する筐体である。尚、表示面２ａの形状は他の多角形形状（三角形、五角形、六角形他）であってもよい。
【００１１】
表示システム１の表示面１ａはこれらブロック２の所定の側面部３同士を密着あるいは近接させて配置することにより形成された複数の表示面２ａからなる１つの表示面である。以下、側面部３同士を密着あるいは近接させて配置することを、ここでは連結という言葉を用いて説明する。
【００１２】
ブロック２の筐体は、例えばプラスチック系樹脂等からなる。ブロック２の大きさ、必要とされる強度から他の素材を用いてもよい。
【００１３】
図２Ａに示すブロック２の側面部３の裏側に、点線で示された無線給電のための無線給電用コイル１０及びその内側にデータ通信のための近接無線通信、例えばＮＦＣ（Near Field Communication）コイル１１が配置されている。尚、それら２つのコイルの中心は側面部３の中心部１２と一致している。
【００１４】
図２Ｂに示すように、ブロック２の各側面部３の一つにはソケット１３が設けられている。このソケットは、表示システム１を構成する各ブロックのうちの少なくとも一つのブロックに設けられていればよい。
【００１５】
これにより例えば１００ＶのＡＣ電源（図示せず）からの電力が図１に示すようにコンセント６、電源配線５及びソケットを介してブロック２の内部へと供給される。尚、図示はしないが電源配線５の所定の箇所に、用途に応じて１００ＶのＡＣ電圧を所定のＡＣ電圧まで降圧するためのＡＣ／ＡＣコンバータを設けてもよい。
【００１６】
図３に示す無線給電用コイル部２０は、無線給電用コイル２２A乃至２２Dとこれらにそれぞれ直列接続されたスイッチ２３A乃至２３Dの各ペアにより構成され、これら各ペアは互いに並列接続されている。
【００１７】
このうちの無線給電用コイル２２A乃至２２Dは図２Ａに示すように各側面部３の裏側に近接して配置されており、図２Ｂに示すソケット１３の端子には無線給電用コイル部２０の配線端部ａ、ｂが接続される。
【００１８】
図３に示す、端部ａ、ｂに対し反対側の端部はブロック２の内部回路２１に接続され、これによりブロック２のシステムを稼動させるための例えば１００ＶのＡＣ電源の電圧が内部回路２１に印加され、ブロック２の内部回路２１に電力が供給され、ブロック２のシステムが起動する。尚、後述するがブロック２に連結された他のブロック２の数に応じて、スイッチ２３A乃至２３Dの少なくとも１つ以上をＯＮさせることで内部回路２１に電力は供給される。
【００１９】
図４は、図３の無線給電用コイル部２０の等価回路である。各無線給電用コイル２２A乃至２２Dをブロック２の各側面部３に近接して配置させるとこのような配置関係となる。これにより必然的にクロス配線（１つ目の配線の一端は無線給電用コイル２２Ａと２２Ｂの間に、他端は無線給電用コイル２２Ｃと２２Ｄの他端にそれぞれ接続され、２つ目の配線の一端はスイッチ２３Ａと２３Ｂの間に、他端はスイッチ２３Ｃと２３Ｄの間にそれぞれ接続されている）が形成される。尚、無線給電用コイル２２Ａ乃至２２Ｄは図２Ａ及び２Ｂに示すように配置されるが、各スイッチ２３A乃至２３Dは各側面部３に近接して配置されている必要はなく、各側面部３から離れた位置に配置されていればよい。
【００２０】
図５は、あるブロック２からこれに連結した他のブロック２へと無線給電を行うためにブロック２内に設けられた回路ブロックであり、内部回路２１の一部である。
【００２１】
無線給電用コイル部２０はＡＣ／ＤＣコンバータ３０の入力端に接続されている。このＡＣ／ＤＣコンバータ３０の出力端は充電器３１に接続されている。
【００２２】
尚、図示はしないがＡＣ／ＤＣコンバータ３０の出力端は多出力であってもよく、これにより、無線給電装置のシステム稼働のために電力供給されていて、ＡＣ／ＤＣコンバータ３０から供給される電力に余裕がある場合、ＰＣの場合と同様、充電器３１を通じてバッテリー３５が充電されるものとする。
【００２３】
説明するまでもないが、無線給電用コイル部２０から供給される電力が無い、もしくは十分でない場合（停電等）、バッテリー３５から無線給電装置のシステム稼働のために電力が供給されることは言うまでもない。
【００２４】
また、充電器３１には昇圧機能に加え、システム稼働に必要な他の各種機能を備えているものとする。ＡＣ／ＤＣコンバータ３０、もしくは充電器３１及びバッテリー３５は互いにシステム稼働のための電力供給部３６として機能する。
【００２５】
制御部３２は、点線で示すように無線給電用コイル部２０の各スイッチ２２A乃至２２DのＯＮ、ＯＦＦを切り替えるための切替部３３、画像を表示するための液晶パネル（他、有機ＥＬ、ＬＥＤ等）を駆動する表示部３４の制御に加え、制御部３２はＡＣ／ＤＣコンバータ３０、充電器３１及びバッテリー３５に対する制御を行う。
【００２６】
尚、切替部３３は例えば半導体スイッチであり、用途に応じて他のスイッチを選択してもよい。
【００２７】
図６は、あるブロック２からこれに連結した他のブロック２へと画像等のデータを転送したり、表示システム１を構成する各ブロック２自身がどこに配置されているかを認識するための配置探索（後述）を行うための回路ブロックである。図５でも説明した制御部３２は中央処理装置（以下、ＣＰＵという）４１と、ROM４２と、RAM４３を有する。さらに制御部３２には、フラッシュメモリ等の不揮発性メモリであるメモリ４４が接続されている。RAM４３には、後述する状態情報テーブルTBL2が記憶され、他のブロックとの連結状態などの情報が記憶される。
【００２８】
メモリ４４は、比較的容量が大きなメモリであり、後述するように、静止画の画像データを多数記憶可能である。また容量の大きな動画を多数保存したい場合にはその容量に応じてメモリ４４の記憶容量を大きくしてもよい。
【００２９】
CPU４１は、ROM４２に記憶されているプログラムを読みだして、RAM４３に展開して実行することができる。ROM４２には、後述する処理プログラム及びテーブル情報が予め格納されている。
【００３０】
４つの送受信部４０A乃至４０Dは近接無線通信用の回路、例えばＮＦＣ通信用回路であり、それぞれ、図２Ａ、Ｂに示す各側面部３に近接して配置されたＮＦＣ用コイル１１を含んでいる。
【００３１】
これにより、各ブロック２のある側面部３が他のブロック２のある側面部３と連結された状態において、一方の側面部３に近接して配置されたＮＦＣ用コイル１１から他方の側面部３に近接して配置されたＮＦＣ用コイル１１とが互いに近接しているため、２つのブロック２の間で近接無線通信を行うことができる。
【００３２】
この場合、例えば、数ｃｍ以内の距離で互いに通信可能である。尚、通信距離はブロック２のサイズに応じて調整すれば良い。
【００３３】
あるブロック２が他のブロック２と連結されると、連結された２つの側面部３近傍の２つの送受信部４０間でのみ通信可能であり、その２つの送受信部４０間で、コマンド及び画像データ等の送受信が可能となる。
【００３４】
後述するように、スマートフォン７も各送受信部４０と同様の近接無線通信（NFC）用の送受信部５１を有していれば、各送受信部４０は、スマートフォン７との近接無線通信が可能となる。尚、制御部３２に対し近距離無線通信である、例えばＷｉＦｉ通信を行う無線通信部４５も設けられていても良い。
【００３５】
また、各ブロック２の制御部３２は各側面部３と、各側面部３の近傍に配置された送受信部４０A乃至４０Dとを対応付ける情報を有している。例えば、ブロック２の一つの側面部３に対応させて送受信部４０Aと関連付けさせ、その側面部３に対し９０°時計回りの位置にある側面部３に対応させて送受信部４０Bと関連付けさせていけば良い。これらの関連付けさせた情報は、例えば、各ブロック２の製造時に各制御部３２のROM４２に予め書き込まれている。
【００３６】
各ブロック２は、図５及び図６の回路ブロックを合わせたもので構成される（尚、それぞれの図に共通する制御部３２及び表示部３４は当然のごとくそれぞれ１つとなる。）。
【００３７】
尚、各ブロック２には図示はしないが、例えば表示面２ａの反対側の裏面に、この面から突出しない電源スイッチを設けて、この電源スイッチをオンすることにより、バッテリー３５からの電力供給で各ブロック２のシステムを構成する制御部３２等の各回路が起動するようにしてもよい。
【００３８】
図７に示すように、スマートフォン７は、制御部５０と、メモリ５６と、表示部５２と、無線通信部５７と、送受信部５１とを有する。尚、各ブロック２の電源スイッチのオン、オフはスマートフォン７からの表示システムを構成する各ブロック２の中で選出されたブロック２へのシステム起動信号により選出されたブロック２のシステムを起動させても良い。このようにブロックから隣のブロックに起動信号を送信し、順に全てのブロックを起動させても良い。
【００３９】
制御部５０は、CPU５３と、ROM５４と、RAM５５を有して構成されている。  
【００４０】
CPU５３は、ROM５４及びメモリ５６に記憶されているプログラムを読み出して、RAM５５に展開して実行することができる。メモリ５６又ROM５４には、表示システム１に画像表示させるための画像表示アプリケーションプログラム（図１０）が格納されている。
【００４１】
さらに、メモリ５６又はROM５４には、その画像表示アプリケーションプログラムにおいて利用される表示ブロック情報テーブルTBL1も格納されている。  
【００４２】
図８は、スマートフォン７のメモリ５６又はROM５４に記憶された表示ブロック情報テーブルTBL1の例を示す図である。表示ブロック情報テーブルTBL1は、ブロック２の表面２ａの部分の形状を示す形状コードと、形状コードに対応する形状情報と、画素情報とを含む。尚、形状情報においては、表示面２ａの正方形等の形状に対する各辺を示している。
【００４３】
形状コード毎に、各辺の長さの情報が登録されている。図５において、Rec、Squ、Tri、Hexは、形状コードであり、それぞれ、長方形、正方形、正三角形、正六角形を意味している。例えば、長方形の形状コード(Rec)については、長辺が２０ｃｍで短辺が１５ｃｍであり、正三角形（Tri）は、各辺が１５ｃｍであることの情報が、表示ブロック情報テーブルTBL1に登録されている。
【００４４】
さらに、形状コード毎に、各ブロックの画素情報が登録されている。形状が長方形(Rec)の場合、例えば、一の長辺が１０００画素であり、一の短辺が７５０画素であり、もう一つの長辺が１０００画素であり、もう一つの短辺が７５０画素であることの画素情報が、表示ブロック情報テーブルTBL1に登録されている。
【００４５】
CPU５３に接続されたメモリ５６は、フラッシュメモリなどの不揮発性メモリである。メモリ５６は、比較的大容量のメモリであり、後述するように、静止画もしくは動画の画像データを記憶可能である。  
【００４６】
表示部５２は、タッチパネル付きであり、ユーザは、表示部５２の表示面７ａにある表示パネルをタッチすることで、各種コマンドの実行の指示をCPU５３に対して与えることができる。
【００４７】
無線通信部５７は、通話及びデータ通信用の回路ブロックであり、スマートフォン７の電話回線及び通信回線との通信のための回路である。  
【００４８】
送受信部５１は、近接無線通信（NFC）用の送受信部であり、各ブロック２の送受信部４０A乃至４０Dと通信可能な回路である。
【００４９】
スマートフォン７において、画像表示アプリケーションプログラムが実行されると、所定のコマンド、ここではブロック配置探索要求コマンドSCがブロック２へ送信される。
【００５０】
なお、図８に示す長方形、正方形、正三角形、正六角形以外にも、二等辺三角形、正五角形等の各種形状の表示ブロックがあってもよい。すなわち、表示システム１において、複数のブロックの少なくとも１つは、他のブロックとは異なる形状の表示面を有していてもよい。
【００５１】
実施の形態の表示システム１では、これら形状の異なるブロック同士でも連結可能となっており、ユーザは、各種形状のブロックを利用して、所望の形状の表示面を有するシステムも構築することもできる。
【００５２】
図９は、表示面２ａが正方形の９個のブロック２を連結した表示システム１を平面的に示し、各ブロック２の内部構成のうち、送受信部４０A乃至４０Dとこれらにつながる制御部３２を示した構成図である。図９では、各ブロック２は、正方形であり、９個のブロック２は、以下の説明において互いを区別するために、２（１）、２（２）、２（３）、２（４）、２（５）、２（６）、２（７）、２（８）、２（９）として示されている。特にブロック２（１）はスマートフォン７との間で近接無線通信を行うため、スタートブロック２Sでもある。また図９では、各ブロック２の４つの各側面部３対応する送受信部４０A〜２２Dのそれぞれの位置は、符号A〜Dの位置で示されており、これら符号の配置位置関係はどのブロック２においても共通である。つまり、符号Aに対し符号Bの位置は時計の回転方向に対し９０°回転した位置にある。以下、符号C、Dも同じように回転した位置にある。また、スタートブロック２Sには図６で説明したＷｉＦｉ等の無線通信部４５を配置しても良い。これを配置した場合には、スマートフォン７をスタートブロック２Sの側面部３に近づけることなく、離れた位置からスタートブロック２Sとの間で情報通信を行うことができる。
【００５３】
以下、図９の表示システム１の構成を例として、スマートフォン７と表示システム１の作用を説明する。
（スマートフォン７における動作）
図１０は、スマートフォン７において実行される画像表示アプリケーションプログラムの処理の流れの例を示すフローチャートである。  
【００５４】
なお、表示システム１に画像を表示させるために、ユーザは、表示システム１を構成する各ブロック２の電源をオンにする。
【００５５】
図１０の処理は、ユーザが、スマートフォン７において画像表示アプリケーションプログラムを起動すると実行される。画像表示アプリケーションプログラムは、表示システム１に所望の画像を表示させるためのプログラムであり、画像表示アプリケーションプログラムが実行されると、スマートフォン７の画面である表示面７ａ上に各種コマンドボタンが表示される。ユーザは、表示された複数のコマンドボタンの中から所望のコマンドボタンをタッチすることにより、各種処理を実行させることができる。
【００５６】
ユーザが表示された配置探索コマンド送信ボタンをタッチすると、図１０の処理が実行され、CPU５３は、ブロック配置探索要求コマンド（以下、探索要求コマンドという）SCを送信する（ステップ（以下Sと略す）1）。具体的には、ユーザは、表示システム１の中の任意のブロック２に、スマートフォン７を近づけて、表示面７ａ上の配置探索要求コマンド送信ボタンをタッチして、探索要求コマンドSCの送信処理を実行させる。図９の場合、ブロック２（１）に、スマートフォン７が近づけられて、探索要求コマンドSCが送信される。探索要求コマンドSCは、送受信部５１から送信される。すなわち、スマートフォン７は、各々が無線給電装置である複数のブロック２の１つに対して、所定の情報である探索要求コマンドSCを送信する送信装置である。
【００５７】
図９の場合、探索要求コマンドSCは、左側中央のブロック２（１）の送受信部４０A〜４０Dの中で、スマートフォン７に最も近い送受信部４０Aにより受信される。探索要求コマンドSCは、表示システム１を構成する複数のブロック２の配置情報すなわちブロック配置情報を取得するために、ブロック２（１）に探索要求・応答コマンド処理（図１４〜図１９）を実行させるコマンドである。
【００５８】
探索要求コマンドSCは、近接無線通信（NFC）によりスマートフォン７から、ブロック２（１）の１つの送受信部４０、図９の場合、ブロック２（１）の送受信部４０Aにより受信される。
【００５９】
探索要求コマンドSCには、後述するように経路情報ストリングPISが付加されるが、S1でスマートフォン７から最初に送信される探索要求コマンドSCには、経路情報ストリングPISは、付加されない。すなわち、S1では、経路情報ストリングPISを含まない探索要求コマンドSCが送信される。
【００６０】
経路情報ストリングPISが空の探索要求コマンドSCを受信したブロック２（１）（以下、開始ブロック２Sともいう）は、表示システム１を構成する複数のブロック２の連結状態情報を得るための探索要求・応答コマンド処理を実行する。なお、以下に説明するように、開始ブロック２Sを含む各ブロック２において、探索要求・応答コマンド処理が実行される。探索要求・応答コマンド処理については、後述する（図１４〜図１９）。
【００６１】
CPU５３は、探索要求コマンドSCの送信後、開始ブロック２Sからの表示システム１を構成する複数の（ここでは９個の）ブロック２間の連結状態情報を含むブロック配置探索応答（以下、探索応答という）RCを受信する（S2）。ブロック２間で送受信される探索要求コマンドSC及び探索応答RCには、ブロック２間の連結状態情報を示す経路情報ストリングPISが含まれる。
【００６２】
探索応答RCは、送信した探索要求コマンドSCに対して戻ってきた探索要求コマンドSCである。よって、後述するように、CPU５３は、開始ブロック２Sから受信する探索応答RCに含まれる経路情報ストリングPISから、表示システム１を構成する全てのブロック２から構成されるブロック配置情報を得ることができる。
【００６３】
CPU５３は、受信した探索応答RCに含まれる経路情報ストリングPISと、上述した表示ブロック情報テーブルTBL1とに基づいて、隣接行列作成処理により隣接行列を作成し、表示システム１のブロック配置情報を生成する（S3）。S3における隣接行列作成処理については、後述する（図３１、図３２）。
【００６４】
ブロック配置情報は、表示システム１の表示面１ａの全体形状及びサイズと、表示面１ａを構成する複数のブロック２の各々の表示領域の形状とサイズ（画素数含む）の情報を含む。
【００６５】
なお、このとき、スマートフォン７の画面７ａ上に、表示システム１の表示面１ａの形状及びサイズの情報を表示するようにしてもよい。  
【００６６】
CPU５３は、表示画像の選択処理を実行する（S4）。
【００６７】
ユーザが探索要求コマンドSCの送信処理を指示すると、CPU５３は、所定時間後に開始ブロック２Sから経路情報ストリングPISを取得するので、CPU５３は、スマートフォン７の画面３ａ上に、複数のブロックの連結状態を示すブロック配置情報の生成が完了したこと、あるいは、表示すべき画像の選択を促すメッセージなどを表示する。  
【００６８】
その結果を受けて、ユーザは、スマートフォン７のメモリ５６に記憶されている画像の中から、表示システム１に表示させたい画像（以下、表示画像という）を選択あるいは指定することができる（S4）。
【００６９】
なお、ここでは、S3の後に、画像の選択あるいは指定が行われているが、表示システム１に表示すべき画像の選択あるいは指定は、ユーザが図１０の処理の実行前に予め選択しておいてもよい。
【００７０】
表示画像の選択がされて決定されると、CPU５３は、S3で生成したブロック配置情報に基づいて、選択された表示画像からブロック毎の画像情報（以下、ブロック画像情報という）を生成する（S5）。
【００７１】
ブロック画像情報は、ブロック毎の表示画像データであり、CPU５３が、表示画像を表示システム１の表示面１ａに表示させるために、各ブロック２に表示させる表示画像の画像情報である。
【００７２】
CPU５３は、生成した複数のブロック画像情報を含む表示画像情報を、各ブロック２において一時的に生成された自ブロック番号（後述する）の情報と関連付けて、開始ブロック２Sに送信する（S6）。すなわち、ブロック２毎のブロック画像情報が生成され、各ブロック画像情報が、自ブロック番号の情報と共に送信される。
【００７３】
後述するように、開始ブロック２Sは、表示画像情報を受信すると、同時に送信されたブロック番号に基づいて、表示画像情報に含まれるブロック画像情報が自己の表示すべきブロック画像であるかを判定し、自己宛てのブロック画像情報であるときは、表示部３４に出力して表示し、自己宛でないときは、受信した表示画像情報を他の隣接するブロック２へ転送する。  
【００７４】
各ブロック２は、自ブロック番号の情報に基づいて、自己の表示すべき画像についてのブロック画像情報を取得し、その画像を表示面２ａに表示する。その結果、表示システム１の表示面１ａには、ユーザが選択した画像が表示される。尚、自己宛の画像情報及び他のブロックの画像情報は一時的にRAM４３、もしくはメモリ４４に保存しておいてもよい。自己宛以外の画像を表示するようにしておけば、例えばこの表示システム１を使ってデジタルサイネージの他、多くの用途に利用できる。  
（各ブロックにおける処理）
各ブロックにおける処理を説明する前に、各ブロック２のRAM４３に生成される状態情報テーブルTBL2について説明する。
【００７５】
図１１は、ブロック２の状態情報テーブルTBL2の初期化時の状態を示す図である。状態情報テーブルTBL2は、ブロック２の初期化時に生成され、ブロックタイプ、自ブロック番号、各辺について、探索状態と隣接番号の情報が格納可能なテーブルである。
【００７６】
ブロックタイプの探索状態の欄には、ブロックの形状コードが記憶される。自ブロック番号の探索状態の欄には、そのブロックの番号すなわちブロック番号が記憶される。ここでは、ブロックの形状コードとブロックの番号は、それぞれ、ブロックタイプの探索状態の欄と自ブロック番号の探索状態の欄に、記憶されているが、別の欄、あるいは別のテーブルに記憶されていてもよい。
【００７７】
各辺の探索状態の欄には、探索状態情報が記憶される。  
【００７８】
各辺の隣接番号の欄には、隣接するブロックの番号が記憶される。  
【００７９】
なお、図１１中、「N.A.」は、「NOT APPLICABLE」の略である。
【００８０】
各ブロック２は、電源がオンにされると、初期化処理を実行し、状態情報テーブルTBL2を生成し、その内容を初期化する。  
【００８１】
図１２は、状態情報テーブルTBL2に書き込まれる探索状態と隣接番号の取り得る状態変数の値を示す図である。
【００８２】
探索状態の初期値は、「NULL」である。探索状態は、探索中においては、「START」、「IN」及び「SEARCH」のいずれかである。探索状態の探索終了値は、「END」、「IN_END」、「SEARCH_END」、「EDGE」及び「DUP」のいずれかである。
【００８３】
隣接番号の初期値及び探索中の値は、「０」である。隣接番号の探索終了値は、「０」から「N」のいずれかである。ここで、Nは、整数である。  
【００８４】
図１３は、各ブロック２の電源がオンされると実行される処理の流れの例を示すフローチャートである。
【００８５】
各ブロック２の電源がオンにされると、CPU４１は、ROM４２から所定の初期化プログラムを読み出して、ブロック２内の各回路の初期化を実行する（S7）。  
【００８６】
初期化時に、各ブロック２のCPU４１は、図１１に上述した示す状態情報テーブルTBL2を生成して、RAM４３中に格納する。
【００８７】
CPU４１は、ROM４２に記憶されているブロックの形状を示す形状コードを読み出して、状態情報テーブルTBL2のブロックタイプの項目の探索状態の欄に格納する。さらに、CPU４１は、ブロックタイプに応じて、各辺に対応する状態の項目を生成し、探索状態の欄に「NULL」を格納する。CPU４１は、他の項目の他の欄には、「０」を格納する。
【００８８】
よって、図１１に示すように、各ブロック２の状態情報テーブルTBL2の初期化時、ブロックタイプの探索状態の欄には、形状コードに対応する「SQU」が書き込まれ、４つの送受信部４０A〜４０Dに対応する正方形の辺Aから辺Dの状態の項目が生成され、各状態の探索項目の欄に、「NULL」が書き込まれる。
【００８９】
初期化が終了すると、CPU４１は、探索要求コマンドSCあるいは探索応答RCを受信したか否かを判定する（S8）。探索応答RCは、送信した探索要求コマンドSCに対して戻ってきたコマンドであり、探索要求コマンドSCと同じ構成を有する。
【００９０】
探索要求コマンドSCあるいは探索応答RCを受信しなければ（S8:NO）、CPU４１は何も処理しない。探索要求コマンドSC及び探索応答RCを受信すると（S8:YES）、CPU４１は、探索要求コマンドSC及び探索応答RCに対する処理プログラムである探索要求・応答コマンド処理のためのプログラムを、ROM４２から読み出して実行する（S9）。
（各ブロック２における探索要求・応答コマンド処理）
図１４から図１９は、各ブロック２における、S3の探索要求・応答コマンド処理の流れの例を示すフローチャートである。
【００９１】
CPU４１は、ブロック２が探索要求コマンドSC又は探索応答RCを受信すると、探索要求コマンドSC又は探索応答RCを受信した送受信部が、入力送受信部であることをRAM４３に記憶する（S11）。探索要求コマンドSCを受信したブロック２（１）においては、送受信部４０Aが、入力送受信部である。
【００９２】
CPU４１は、受信したコマンドが、探索要求コマンドSCであるか、探索応答RCであるか、あるいは、後述する設定されたタイマのタイムアウト信号の発生があったかを判定する（S12）。
【００９３】
S12では、探索要求コマンドSCあるいは探索応答RCを受信するまで、あるいは、設定されたタイマがタイムアウトするまでは、処理は何もされない。  
【００９４】
受信したコマンドが探索要求コマンドSCであるとき、CPU４１は、状態情報テーブルTBL2中の自ブロック番号が「０」であるか否かを判定する（S13）。初期化直後は、各ブロック２の状態情報テーブルTBL2中の自ブロック番号は、「０」である。
【００９５】
自ブロック番号が「０」である場合（S13:YES）、CPU４１は、経路情報ストリングPISに含まれる最大ブロック番号に１を加えた数を自ブロック番号とし、入力送受信部の探索状態を、自ブロック番号が1の場合には、START、それ以外の場合はINとする（S14）。よって、S14の処理は、受信した探索要求コマンドSCに含まれる情報に基づいて、自ブロックの識別情報である自ブロック番号を生成する識別情報生成部を構成する。
【００９６】
図９に示した表示システム１の場合、スマートフォン７が上述したS1において探索要求コマンドSCを送信し、表示システム１のブロック２（１）がその探索要求コマンドSCを送受信部４０Aにおいて受信する。初期化により、ブロック２（１）の状態情報テーブルTBL2中の自ブロック番号が「０」である。
【００９７】
ブロック２（１）のCPU４１は、自ブロック番号が「０」であるので（S13:YES）、経路情報ストリングPISに含まれる最大ブロック番号を１だけインクリメントした番号を、状態情報テーブルTBL2中の自ブロック番号の欄に書き込む（S14）。
【００９８】
上述したように、図１０のS1で送信される探索要求コマンドSCには、空の経路情報ストリングPISが付加されている。  
【００９９】
従って、ブロック２（１）のCPU４１は、状態情報テーブルTBL2中の自ブロック番号の欄に、「１」を書き込み、入力送受信部に対応する送受信部４０Aの探索状態の欄に「START」を書き込む。
【０１００】
図２０は、ブロック２（１）がスマートフォン７から探索要求コマンドSCを送受信部４０Aにおいて受信して、S14の処理の実行後における、状態情報テーブルTBL2の状態を示す図である。
【０１０１】
なお、ブロック２（１）の場合は、探索要求コマンドSCをスマートフォン７から受信したので、入力送受信部である送受信部４０Aの隣接番号は、図２０に示すように「０」であるが、他のブロック２から探索要求コマンドSCを受信したときは、各ブロック２のCPU４１は、その探索要求コマンドSCを送信したブロック２のブロック番号を、経路情報ストリングPISの最後尾の経路情報PIから抽出して、入力送受信部の隣接番号の欄に書き込む。
【０１０２】
次に、CPU４１は、探索状態がNULLである送受信部を所定の順序で探索し、NULLである送受信部が有れば、その送受信部を出力送受信部とし、出力送受信部の探索状態をSEARCHとする（S15）。なお、ここで、送受信部が１つであると、探索状態が「NULL」である送受信部はない。
【０１０３】
所定の順序は、各ブロックにおいて予め決められており、ここでは、送受信部４０A、４０B、４０C、４０D、４０A、４０B、・・・というように、循環的な順番として決められている。
【０１０４】
ブロック２（１）のCPU４１は、送受信部４０A以外では、送受信部４０B、２２C、２２Dの探索状態が「NULL」であるので、所定の順序に従って、送受信部４０Bがまず出力送受信部とされて、送受信部４０Bの探索状態を、「SEARCH」にする。
【０１０５】
図２１は、ブロック２（１）において、S15の処理の実行により、送受信部４０Bがまず出力送受信部とされたときにおける、状態情報テーブルTBL2の状態を示す図である。  
【０１０６】
S15の後、ブロック２（１）のCPU４１は、S15において探索状態が「NULL」である送受信部があったか否かを判定する（S16）。S16は、全ての送受信部がチェックされたか否かを判定するための処理である。
【０１０７】
探索状態が「NULL」である送受信部があったとき（S16:YES）、ブロック２（１）のCPU４１は、経路情報ストリングPISの最後尾に、経路情報PIを追加して、新たな経路情報ストリングPISを生成する（S17）。  
【０１０８】
ここで、経路情報PIについて説明する。経路情報PIは、（入力送受信部識別子．形状識別子（自ブロック番号）．出力送受信部識別子）を含んで構成されている。
【０１０９】
S17の後、ブロック２（１）のCPU４１は、出力送受信部から、経路情報ストリングPIS付きの探索要求コマンドSCを送信する（S18）。  
【０１１０】
例えば、上記の場合、ブロック２（１）の送受信部４０Bの探索状態が「NULL」であったので、ブロック２（１）のCPU４１は、出力送受信部である送受信部４０Bから、経路情報ストリングPIS付きの探索要求コマンドSCを送信する。このときの経路情報ストリングPISは、次の通りである。
【０１１１】
(A.Squ(1).B)          ・・・ストリング１
上述したように、ここでは、スマートフォン７からの探索要求コマンドSC中、経路情報PIが空であるので、S18において送受信部４０Bから送信される探索要求コマンドSCに含まれる経路情報ストリングPISは、上述したストリング１である。
【０１１２】
S18の後、ブロック２（１）のCPU４１は、ソフトウエアタイマなどである探索要求についてのタイマをセットし（S19）、処理は、S12へ戻る。  
【０１１３】
図９のブロック２（１）の送受信部４０Bが出力送受信部となって、ブロック２（１）のCPU４１は、S17において生成した探索要求コマンドSCをブロック２（２）へ出力する。
【０１１４】
ブロック２（１）のCPU４１は、S12の処理に戻るが、ブロック２（２）から通信応答信号を受信するので、設定したタイマは解除され、結果として、タイマからタイムアウト信号は出力されない。
【０１１５】
図９の場合、ブロック２（２）は、ブロック２（１）の送受信部４０Bからの探索要求コマンドSCを、送受信部４０Cにおいて受信する。ブロック２（２）のCPU４１は、受信した探索要求コマンドSCの受信に応じて、図１４の処理の実行を開始する。
【０１１６】
ブロック２（２）のCPU４１は、上述したS11〜S19の処理を実行する。その結果、ブロック２（２）のRAM４３中に状態情報テーブルTBL2が生成される。ブロック２（２）のCPU４１は、S14において、探索要求コマンドSCに含まれる経路情報ストリングPIS中の最大ブロック番号が「１」であるので、自ブロック番号を「２」とし、入力送受信部である送受信部４０Cについての状態Cを「IN」とする。
【０１１７】
さらに、ブロック２（２）のCPU４１は、S15において、送受信部４０Dを出力送受信部として、送受信部４０Dに対応する状態Dの探索状態を「SEARCH」として（S15）、S16からS19を実行する。
【０１１８】
図９に示すように、ブロック２（２）の送受信部４０Dの辺Dには、連結されたブロックが存在しないため、ブロック２（２）のCPU４１は、S12において、S19でセットしたタイマのタイムアウト信号を検出すなわち受信して、図１６に示すように、出力送受信部である送受信部４０Dの探索状態を「SEARCH」から「EDGE」に変更し、隣接番号を「０」（ゼロ）とする（S21）。
【０１１９】
すなわち、制御部３２は、探索要求コマンドSCの送信に応じて、タイマに設定された所定時間内に所定の信号（ここでは、通信応答信号）を受信するか否かに基づいて、各面における他のブロック２の有無を判定する。
【０１２０】
そして、ブロック２（２）のCPU４１は、経路情報ストリングPISの最後尾を、（入力送受信部識別子．形状識別子（自ブロック番号）．出力送受信部識別子．"Edge"）で置き換えて、新たな経路情報ストリングPISとする（S22）。この新たな経路情報ストリングPISは、次の通りである。
【０１２１】
(A. Squ (1).B)(C. Squ (2).D.Edge)          ・・・ストリング２
そして、ブロック２（２）のCPU４１は、出力送受信部を入力送受信部とする（S23）。上記の場合、ブロック２（２）の送受信部４０Dが入力送受信部となる。
【０１２２】
その後、処理は、S15に移行し、ブロック２（２）のCPU４１は、所定の順番に従って、送受信部４０Aを出力送受信部として、送受信部４０Aに対応する状態Aの探索状態を「SEARCH」として、S16からS19を実行する。
【０１２３】
図９に示すように、ブロック２（２）の送受信部４０Aの辺Aにも、送受信部４０Dと同様に、連結されたブロックが存在しないため、ブロック２（２）のCPU４１は、S21からS23の処理を実行する。
【０１２４】
ブロック２（２）のCPU４１は、所定の順番に従って、送受信部４０Bを出力送受信部として、送受信部４０Bに対応する状態Bの探索状態を「SEARCH」として（S15）、S16からS19を実行する。ブロック２（２）の送受信部４０Bの辺Bには、ブロック２（３）が存在するため、ブロック２（３）の送受信部４０Aから、通信応答信号を受信するので、タイマは解除される。
【０１２５】
このとき、ブロック２（２）からブロック２（３）へ送信される探索要求コマンドSCに含まれる経路情報ストリングPISは、次の通りである。  
【０１２６】
(A. Squ (1).B)(C. Squ (2).D.Edge) (D. Squ (2).A.Edge)(A. Squ (2).B)    ・・・ストリング３
すなわち、探索要求コマンドSCに含まれる経路情報ストリングPISは、受信した経路情報ストリングPISに経路情報PIが追加されるようにして増えていく。
【０１２７】
以下同様にして、図９の表示システム１の場合、以下、各ブロック２が同様の処理を実行することにより、ブロック２（２）から、ブロック２（３）、ブロック２（４）、ブロック２（５）、ブロック２（６）、ブロック２（７）、ブロック２（８）の順で、経路情報ストリングPIS付きの探索要求コマンドSCが伝達される。
【０１２８】
ブロック２（８）のCPU４１は、送受信部４０Aにおいて探索要求コマンドSCを受信する。その後、ブロック２（８）のCPU４１は、辺Bと辺Cには連結されたブロックが存在しないため、送受信部４０Aから探索要求コマンドSCがブロック２（１）へ送信される。
【０１２９】
ブロック２（１）のCPU４１は、ブロック２（８）から探索要求コマンドSCを受信すると、自ブロック番号が「０」でないので（S13:NO）、図１７に示すように、経路情報ストリングPISに自ブロック番号が含まれていれば、ループを検出したと認識し、入力送受信部である送受信部４０Dの探索状態を「DUP」（Duplicationの略）として、出力送受信部を入力送受信部と同じにする（S31）。ここで、ループとは、送信した探索要求コマンドSCが、自ブロック２へ戻ってきたことを意味する。出力送受信部を入力送受信部と同じにするのは、探索要求コマンドSCを、受信した探索要求コマンドSCを探索応答として、送信したブロック２へ戻すためである。  
【０１３０】
そして、ブロック２（１）のCPU４１は、経路情報ストリングPISの最後尾に含まれているブロック番号を、入力送受信部の隣接番号とする（S32）。
【０１３１】
さらに、ブロック２（１）のCPU４１は、経路情報ストリングPISの最後尾に、（入力送受信部識別子．形状識別子（自ブロック番号）．出力送受信部識別子．DUP）を追加して、新たな経路情報ストリングPISとする（S33）。
【０１３２】
そして、ブロック２（１）のCPU４１は、出力送受信部から、経路情報ストリングPIS付きの探索要求コマンドSCを探索応答RCとして送信する（S34）。  
【０１３３】
図２２は、ブロック２（８）へ探索応答RCを送信したブロック２（１）における状態情報テーブルTBL2の状態を示す図である。図２２に示すように、このときにおけるブロック２（１）における状態情報テーブルTBL2の辺Dの探索状態は、「DUP」であり、辺Dの隣接番号は、「８」となっている。
【０１３４】
また、図２３は、ブロック２（１）がブロック２（８）へ送信する探索応答RCに含まれる経路情報ストリングPISを示す図である。ブロック２（１）からブロック２（８）へ送信された探索応答RCは、図２３に示す経路情報ストリングPISを含む、探索要求コマンドSCと同じ構成のコマンドである。図２３に示すように、開始ブロック２Sすなわちブロック２（１）から送信された探索要求コマンドSCは、探索及び転送時に経路情報PIが追加されて増えていく。
【０１３５】
S34の後、ブロック２（１）のCPU４１の処理は、S12へ移行する。  
【０１３６】
ブロック２（８）のCPU４１は、ブロック２（１）から探索応答RCを受信すると、図１４のS12から図１８の処理へ移行し、受信した探索応答RCに含まれる経路情報ストリングPISの最後が「DUP」でなければ、出力送受信部の探索状態を「SEARCH」から「SEARCH_END」に変更し、経路情報ストリングPISの最後が「DUP」であれば、出力送受信部の探索状態を「SEARCH」から「DUP」に変更する（S41）。
【０１３７】
そして、ブロック２（８）のCPU４１は、経路情報ストリングPISの最後尾に含まれているブロック番号を、入力送受信部の隣接番号として（S42）、処理はS15へ移行する。よって、図示しないが、ブロック２（８）の状態情報テーブルTBL2の辺Dの探索状態は、「DUP」となり、辺Dの隣接番号は「１」となる。
【０１３８】
その後、ブロック２（８）のCPU４１は、図１４のS15の処理を実行し、探索状態が「NULL」である送受信部があったか否かを判定するが（S16）、図９の場合、そのような探索状態が「NULL」である送受信部はない（S16:NO）。よって、ブロック２（８）のCPU４１は、図１９の処理を実行し、探索状態が「START」または「IN」である送受信部の探索状態を「END」または「IN_END」に変更し、かつ出力送受信部とする（S51）。
【０１３９】
さらに、ブロック２（８）のCPU４１は、経路情報ストリングPISの最後尾に、（入力送受信部識別子．形状識別子（自ブロック番号）．出力送受信部識別子．RETURN）を追加して、新たな経路情報ストリングPISとする（S52）。  
【０１４０】
そして、ブロック２（８）のCPU４１は、出力送受信部から、経路情報ストリングPISを含む探索要求コマンドSCを探索応答RCとして送信して（S53）、処理を終了する。
【０１４１】
図２４は、ブロック２（８）がブロック２（７）へ探索応答RCを送信した場合におけるブロック（８）の状態情報テーブルTBL2の状態を示す図である。図２４に示すように、ブロック２（８）における状態情報テーブルTBL2において、辺A,B,C,Dの探索状態は、それぞれ「IN_END」、「EDGE」、「EDGE」、「DUP」であり、辺A,B,C,Dの隣接番号は、それぞれ「７」、「０」、「０」、「１」となっている。  
【０１４２】
よって、ブロック２（８）のCPU４１は、送受信部４０Dの探索の終了により、送受信部４０Aから探索要求コマンドSCをブロック２（７）へ送信する（S53）。
【０１４３】
ブロック２（８）から探索要求コマンドSCを受信したブロック２（７）は、探索状態が「NULL」である送受信部４０Cから探索要求コマンドSCをブロック２（９）へ送信し（S18）、タイマをセットする（S19）。
【０１４４】
ブロック２（７）から探索要求コマンドSCを受信したブロック２（９）のCPU４１は、所定の順番に従って、送受信部４０Dから探索要求コマンドSCを送信する（S18）。ブロック２（９）の送受信部４０Dの辺Dには、連結されたブロック２（１）が存在するため、ブロック２（１）からの経路情報ストリングPISの最後尾には、「DUP」が含まれている（S33）。よって、ブロック２（９）のCPU４１は、送受信部４０Dに対応する辺Dの探索状態は、「DUP」とし（S31）、その送受信部４０Dの隣接番号を「１」とする（S32）。
【０１４５】
以下同様に、ブロック２（９）のCPU４１は、所定の順番に従って、送受信部４０Aから探索要求コマンドSCを送信するが、ブロック２（３）からの経路情報ストリングPISの最後尾には、「DUP」が含まれているので、ブロック２（９）の送受信部４０Aの探索状態は、「DUP」とし（S31）、その送受信部４０Aの辺Aの隣接番号を「３」とする（S32）。
【０１４６】
同様に、ブロック２（９）のCPU４１は、所定の順番に従って、送受信部４０Bから探索要求コマンドSCを送信するが、ブロック２（５）からの経路情報ストリングPISの最後尾には、「DUP」が含まれているので、ブロック２（９）の送受信部４０Bの探索状態は、「DUP」とし（S31）、その送受信部４０Aの隣接番号を「５」とする（S32）。
【０１４７】
その後、ブロック２（９）のCPU４１は、探索状態が「NULL」である送受信部はないので（S16:NO）、図１８の処理を実行して、送受信部４０Cから、ブロック２（７）へ経路情報ストリングPISを含む探索応答RCを送信する（S53）。
【０１４８】
ブロック２（７）のCPU４１も、ブロック２（９）からの探索応答RCの受信に応じて、ブロック２（７）の送受信部４０Dからブロック２（６）への経路情報ストリングPISを含む探索応答RCを送信する（S53）。以下同様にして、ブロック２（６）からブロック２（１）まで戻るように、探索応答コマンドRCが伝達されていく。
【０１４９】
なお、図９の表示システム１の場合、ブロック２（５）の送受信部４０Cとブロック２（３）の送受信部４０Dでは、最後尾に「DUP」を含む探索応答RCを、探索要求コマンドSCを送信したブロック２（９）から受信するので、各ブロック２（５）と２（３）のCPU４１は、それぞれの隣接するブロック２（９）の番号、すなわち隣接番号「９」を決定することができる。  
【０１５０】
最後に、ブロック２（１）の送受信部４０Bにおいて探索応答RCを受信すると、ブロック２（１）のCPU４１は、送受信部４０Bの探索状態を「SEARCH_END」に変更する（S41）。
【０１５１】
図２５は、ブロック２（１）がブロック２（２）から探索応答RCを受信後の状態情報テーブルTBL2の状態を示す図である。  
【０１５２】
次に、ブロック２（１）のCPU４１は、所定の順番に従って、探索要求コマンドSCを送受信部４０Cから送信する。
【０１５３】
図２６は、ブロック２（１）がブロック２（９）へ探索要求コマンドSCを送信したときにおける状態情報テーブルTBL2の状態を示す図である。  
【０１５４】
次に、ブロック２（１）のCPU４１は、最後尾に「DUP」を含む探索応答RCを、探索要求コマンドSCを送信したブロック２（９）から受信するので、ブロック２（１）のCPU２４は、辺Cの探索状態を「DUP」とし、隣接するブロック２（９）の番号、すなわち隣接番号「９」を決定することができる。
【０１５５】
図２７は、ブロック２（１）がブロック２（９）から探索応答RCを受信後における状態情報テーブルTBL2の状態を示す図である。  
【０１５６】
次に、ブロック２（１）のCPU４１は、所定の順番に従って、探索要求コマンドSCを送受信部４０Dから送信するが、最後尾に「DUP」を含む探索応答RCを、探索要求コマンドSCを送信したブロック２（８）から受信する。
【０１５７】
最終的に、ブロック２（１）のCPU４１は、探索状態が「START」である送受信部４０Aの探索状態を「END」に変更し（S51）、経路情報ストリングPISを含む探索応答RCを送受信部４０Aからスマートフォン７に送信する（S53）。
【０１５８】
図２８は、ブロック２（１）がブロック２（８）から探索応答RCを受信後における状態情報テーブルTBL2の状態を示す図である。  
【０１５９】
図２９は、ブロック２（１）からスマートフォン７へ送信される探索応答RCに含まれる経路情報ストリングPISを示す図である。
【０１６０】
図３０は、表示システム１における探索要求コマンドSCの流れを示す図である。図３０に点線で示すように、探索要求コマンドSCを受信したブロック２（１）が開始ブロック２Sとなり、探索要求コマンドSCがブロック２（１）から他のブロック２へ伝達され、ブロック２（１）に一筆書きを描くように戻る。
【０１６１】
図３０において、クロス印（×）は、隣接するブロックが存在しない辺を示す。図３０において、二点鎖線で示すUターン印は、ループが検出された場所を示す。探索要求コマンドSCは、経路情報ストリングPISを含む。経路情報ストリングPISには、各ブロック２において生成されて付与されたブロック番号、各ブロック２において隣接するブロックが存在しない辺の端部情報（上述した「EDGE」）、既に探索されているブロックの存在を示すループ情報（上述した「DUP」）を、含む。
【０１６２】
以上のように、各ブロック２の制御部３２は、経路情報ストリングPISを含む探索要求コマンドSCを受信すると、通信部である送受信部４０が設けられた各面に隣接して配置された他のブロックの有無を判定し、他のブロックの有無の判定結果に基づいて、各面に隣接して配置された他のブロックの識別情報であるブロック番号を含む情報を、探索要求コマンドSCに含まれる経路情報ストリングPISに追加して探索要求コマンドSCあるいは探索応答RCを生成し、複数の送受信部４０のいずれか１つから送信する情報送信制御部を構成する。探索要求コマンドSCあるいは探索応答RCは、各面における他のブロックの有無の情報及び他のブロックの識別情報を、受信した探索要求コマンドSCあるいは探索応答RCに含めたあるいは追加した情報である。
【０１６３】
特に、情報送信制御部である制御部３２は、他のブロックの有無の判定結果に基づいて、隣接して配置された他のブロックが存在しない面について、他のブロックが存在しないことを示す情報（上述した「EDGE」）を、経路情報ストリングPISに含める。
【０１６４】
さらに、情報送信制御部である制御部３２は、自己が送信した探索要求コマンドSCを、受信した探索要求コマンドSCが含む場合は、ループであることを示す情報（上述した「DUP」）を、経路情報ストリングPISに含める。
（スマートフォンにおける隣接行列作成処理）
以上のようにして、スマートフォン７は、図１０のS2において、開始ブロック２Sから探索応答RCを受信する。スマートフォン７のCPU５３は、上述したように、受信した探索応答コマンドRCに含まれる経路情報ストリングPISと、上述した表示ブロック情報テーブルTBL1とに基づいて、隣接行列作成処理を実行して、表示システム１のブロック配置情報を生成する（S3）。
【０１６５】
図３１は、S3においてブロック配置情報を生成するための隣接行列作成処理の流れの例を示すフローチャートである。  
【０１６６】
CPU５３は、隣接行列初期化処理を実行する（S101）。図３２は、隣接行列初期化処理の流れの例を示すフローチャートである。
【０１６７】
CPU５３は、経路情報ストリングPISを先頭から読んで、新しいブロック番号を見つけるたびに、該ブロックの形状識別子から、該ブロックの面（又は辺）の数を決め、全ブロックの面の数の総和を求める（S111）。
【０１６８】
CPU５３は、面の数の総和の大きさの空の正方隣接行列を作成し、ブロック毎に、該ブロックが持つ面の数だけ行と列を割り当てる（S112）。 
【０１６９】
図９の表示システム１の場合、面の数は、９であり、各ブロック２は４つの辺を有する正方形であるので、３６×３６の行列テーブルが生成される。
【０１７０】
図３３は、S112において生成された隣接行列テーブルの例を示す図である。  
【０１７１】
図３１に戻り、CPU５３は、読み出し対象を経路情報ストリングPISの先頭に戻す（S102）。すなわち、読み出し対象の経路情報PIの位置が、経路情報ストリングPISの先頭位置の経路情報の位置となる。
【０１７２】
CPU５３は、経路情報ストリングPISの隣り合う部分ストリング（部分ストリング対）を読み込む （S103）。各部分ストリングは、１つの経路情報PIである。よって、部分ストリング対は、隣り合う２つの経路情報PIである。
【０１７３】
以下の説明では、部分ストリング対は、（X1.FormX(#X).X2.<any>）(Y1.FormY(#Y).Y2.<any>)で示す。（X1.FormX(#X).X2.<any>）と(Y1.FormY(#Y).Y2.<any>)の各々が、経路情報PIである。X1,Y1が入力送受信部識別子であり、FormX(#X)、FormY(#Y)が形状識別子（自ブロック番号）であり、X2,Y2が出力送受信部識別子である。<any>は、空（この場合は探索要求を意味する）、Dup,Edge,Returnのいずれかである。
【０１７４】
CPU５３は、読み込んだ部分ストリング対が、 （X1.FormX(#X).X2） (Y1.FormY(#Y).Y2.<any>)であれば、ブロック#Xの面X2は、ブロック#Yの面Y1と隣接しているので、隣接行列の対応する要素を1とし、それを含む行または列の上記以外の要素をゼロにする（S104）。 
【０１７５】
次に、CPU５３は、部分ストリング対が、（X1.FormX(#X).X2.EDGE） (Y1.FormY(#Y).Y2.<any>)であれば、ブロック#Xの面X2は、いかなるブロックとも隣接してないので、隣接行列の対応する行と列の全ての要素をゼロにする（S105）。 
【０１７６】
さらに、CPU５３は、部分ストリング対が、上記以外のパターンである場合、隣接行列は変更しない（S106）。
【０１７７】
CPU５３は、読み出し対象を1つの部分ストリング分だけ、後ろにずらす（S107）。 すなわち、部分ストリング対の後方の経路情報PIが、次に読み出される部分ストリング対において、前方の経路情報PIとなるように、読み出し対象の範囲が移動される。
【０１７８】
CPU５３は、部分ストリング対の後方の経路情報PIが経路情報ストリングPISの末尾であるかを判定する（S108）。すなわち、読み出した対象の部分ストリング対が経路情報ストリングPISの末尾の経路情報PIを含むかが判定される。
【０１７９】
部分ストリング対の後方の経路情報PIが経路情報ストリングPISの末尾の経路情報PIでなければ（S108:YES）、処理は、S103に戻り、部分ストリング対の後方の経路情報PIが経路情報ストリングPISの末尾の経路情報PIであるときは（S108:NO）、処理は終了する。
【０１８０】
以上の処理により、図３４に示すような隣接行列テーブルTBL3が作成される。  
【０１８１】
図３４は、図３０の処理の結果、ブロック２間の接続関係の情報を含む隣接行列テーブルTBL3の一部を示す図である。図３４では、「０」は略して示していない。以上のようにして生成された隣接行列は、ブロック２間の全ての接続情報を含むので、スマートフォン７のCPU５３は、その生成された隣接行列テーブルTBL3に基づいて、ブロック配置情報を生成することができる。
【０１８２】
その結果、CPU５３は、S4で選択された画像を、ブロック配置情報に基づいて分割して、複数のブロック画像情報を含む表示画像情報を生成することができる。  
（無線給電用コイルを用いた各ブロック間の無線給電方法）
図３５は、図４に示す無線給電用コイル部２０を用いた無線給電の説明のために、無線給電用コイル２２A乃至２２Dとこれら各々に対し直列接続されたスイッチ２３A乃至２３Dを各ブロック２に表記したものである。
【０１８３】
各ブロック２を判別するために、開始ブロックである２S（２（１））に始まり、２（２）乃至２（９）と表記した。
【０１８４】
開始ブロック２Sの１つの側面部３に設けられたソケット１３（図示せず）には１００Ｖ−ＡＣ電源からの電圧がコンセント６及び電源配線５を介し接続されている。これにより、図４に示すように、ソケット１３に印加されたＡＣ電圧は図３の無線給電用コイル部２０の端子ａ、ｂ間に印加される。
【０１８５】
無線給電に先立ち、図８乃至図３４において説明された各ブロック２の各ＮＦＣコイル１１を含む送受信部４０Ａ乃至４０Ｄを用いて前述した配置探索を行うことで、表示システム１を構成する各ブロック２は他のどのブロック２と連結されているかを認識し、またスマートフォン７も全てのブロック２の配置関係を認識しているものとする。
【０１８６】
また、図９に示す各ブロック９の各送受信部４０A乃至４０Dの配置に対応して各無線給電用コイル２２A乃至２２Dも配置されており、この対応関係を各ブロック２の制御部３２は予め認識しているものとする。
【０１８７】
これにより、前述の配置探索で得られた経路情報ストリングPISは、そのまま各ブロック２の各無線給電用コイル２２Ａ乃至２２Ｄの配置に関する経路情報ストリングPISとして置き換えて、開始ブロック２S、またはスマートフォン７は認識するものとする。
【０１８８】
スマートフォン７は、表示システム１に使う各ブロック２の各々の固有識別情報（ＭＡＣアドレス、製造番号等）や属性情報（図８の各種情報等）を予め把握していても、上記配置探索の際に合わせてブロック２S乃至２（９）の各々が保有する固有情報や属性情報を入手しても良い。
【０１８９】
図３５を用いて、各ブロック２間の無線給電方法について以下に説明する。
【０１９０】
ステップ１−１：
スマートフォン７は、各ブロック２への無線給電開始の指示を開始ブロック２S（ブロック２（１））に対し行う。尚、配置探索の終了を受けてスマートフォン７の指示を受けることなく、開始ブロック２S自身が無線給電を開始してもよい。
【０１９１】
事前の配置探索の結果に基づき、開始ブロック２Sのコイル２２Ａに対向配置された隣接するブロック２の無線給電用コイル１０はないことが判明しているため、制御部３２は、切替部３３により、次の順番である無線給電用コイル２２Ｂのペアである、スイッチ２３ＢをＯＮさせる。
【０１９２】
制御部３２は自身の送受信部４０Ｂからこれに隣り合うブロック２（２）の送受信部４０Ｃを介し、その制御部３２に対し、スイッチ２３ＣをＯＮさせる指示を行う。この指示に基づきブロック２（２）の制御部３２は、切替部３３によりスイッチ２３ＣをＯＮさせる。
【０１９３】
これにより、開始ブロック２Sの無線給電用コイル２２Ｂに印加されたＡＣ電圧により、ブロック２（２）の無線給電用コイル２２Ｃに誘導起電力が発生することで、ブロック２（２）の内部回路２１に無線給電による電力が供給される。
【０１９４】
これにより、このシステム稼働の電力はバッテリー３５から無線給電へと切り替わるので、バッテリー３５の電力のみでシステムを稼動させることによるバッテリー切れのリスクはなくなる。
【０１９５】
ステップ１−２：
ブロック２（２）の制御部３２は送受信部４０Ｃから開始ブロック２Sの送受信部４０Ｂを介し制御部３２へと無線給電による電力が供給されたことの応答データを転送する。
【０１９６】
この応答データを開始ブロック２Sの制御部３２が受信すると、次の順番としてスイッチ２３ＣをＯＮさせる。
【０１９７】
上記ステップと同様にして、制御部３２はブロック２（９）の制御部３２に対しスイッチ２３ＤをＯＮさせる指示を行う。この指示を受けてブロック２（９）の制御部３２は、スイッチ２３ＤをＯＮさせる。
【０１９８】
開始ブロック２Sの無線給電用コイル２２Ｃに印加されたＡＣ電圧により、ブロック２（９）の無線給電票コイル２２Ｄに誘導起電力が発生するので、ブロック２（９）の内部回路２１に無線給電による電力が供給されることで、このシステム稼働の電力はバッテッリー３５から無線給電へと切り替わる。
【０１９９】
ステップ１−３：
開始ブロック２Sはブロック２（９）から無線給電による電力が供給されたことを示す応答データを確認した後、次の順番としてスイッチ２３ＤをＯＮさせる。
【０２００】
制御部３２は上記と同様にして、ブロック２（８）の制御部３２に対し自身のスイッチ２３ＤのＯＮを指示するデータを転送する。この指示を受けて制御部３２は、スイッチ２３ＤをＯＮさせる。
【０２０１】
ブロック２Sの無線給電用コイル２２Ｄに印加されたＡＣ電圧が、ブロック２（８）の無線給電用コイル２２Ｄに誘導起電力を発生させることで、ブロック２（８）の内部回路２１に無線給電による電力が供給されることで、このシステム稼働の電力はバッテリー３５から無線給電へと切り替わる。
【０２０２】
ステップ２−１：
開始ブロック２Sはブロック２（８）から無線給電により電力が供給されたことを示す応答データを確認した後、開始ブロック２Sは、最初に無線給電したブロック２（２）に対し、無線給電２段目となるブロック２（３）への無線給電の指示を行う。
【０２０３】
この指示を受けて、ブロック２（２）の制御部３２はスイッチ２３ＢをＯＮさせる。また制御部３２はブロック２（３）の制御部３２に対し、スイッチ２３ＡをＯＮさせる指示を行う。この指示を受けてブロック２（３）の制御部３２はスイッチ２３ＡをＯＮさせる。
【０２０４】
ブロック２（２）の無線給電用コイル２２Ｂに印加されたＡＣ電圧が、ブロック２（３）の無線給電用コイル２２Ｃに誘導起電力を発生させることで、ブロック２（３）の内部回路２１に無線給電による電力が供給されるので、このシステム稼働の電力はバッテリー３５から無線給電へと切り替わる。
【０２０５】
ステップ２−２：
開始ブロック２Sはブロック２（３）に対し無線給電により電力が供給されたことを示す応答データをブロック２（２）を介し確認した後、２番目に無線給電したブロック２（９）に対し、無線給電２段目となるブロック２（５）への無線給電の指示を行う。この指示はブロック２（３）には既に無線給電が行われていることに基づくものである。
【０２０６】
ブロック２（９）の制御部３２はスイッチ２３ＢをＯＮさせ、またブロック２（５）に対しスイッチ２３ＣをＯＮさせる指示を行う。この指示を受けてブロック２（５）の制御部３２はスイッチ２３ＣをＯＮさせる。
【０２０７】
ブロック２（９）の無線給電用コイル２２Ｂに印加されたＡＣ電圧が、ブロック２（５）の無線給電用コイル２２Ｃに誘導起電力を発生させることで、ブロック２（５）の内部回路２１に無線給電による電力が供給されるので、このシステム稼働の電力はバッテリー３５から無線給電へと切り替わる。
【０２０８】
ステップ２−３：
開始ブロック２Sはブロック２（５）に無線給電に対し電力が供給されたことを示す応答データをブロック２（９）を介し確認した後、３番目に無線給電を開始したブロック２（８）に対し、無線給電２段目となるブロック２（７）への無線給電の指示を行う。この指示はブロック２（９）には既に無線給電されていることに基づくものである。
【０２０９】
ブロック２（８）の制御部３２はスイッチ２３ＡをＯＮさせ、またブロック２（７）に対しスイッチ２３ＢをＯＮさせる指示を行う。この指示を受けてブロック２（７）の制御部３２はスイッチ２３ＢをＯＮさせる。
【０２１０】
ブロック２（８）の無線給電用コイル２２Ａに印加されたＡＣ電圧が、ブロック２（７）の無線給電用コイル２２Ｂに誘導起電力を発生させることで、ブロック２（７）の内部回路２１に無線給電による電力が供給されるので、このシステム稼働の電力はバッテリー３５から無線給電へと切り替わる。
【０２１１】
これまでの各ステップから明らかなように、ブロック２（４）への３段目の無線給電のステップとブロック２（６）への３段目の無線給電のステップはこれまでの各ステップから明らかなため、その説明を省略する。
【０２１２】
開始ブロック２Sは、表示システム１を構成する自身を除く、他の各ブロック２からの無線給電が開始されたことを示す確認データを全て受け取った段階で新たな無線給電の指示を終了させる。これにより、開始ブロック２Sを除く全てのブロック２には開始ブロック２Sに接続されたＡＣ電圧に基づく無線給電により電力が供給される。
【０２１３】
上記で説明した無線給電において、ブロック２からこれに隣接するブロック２への無線給電は電磁誘導における磁束の漏れによる電力損失があるため、無線給電のブロック２の数が増えれば増えるほど、各々の無線給電においてその電力損失は発生するので、一つのＡＣ電圧で開始ブロック２Sから一番遠いブロック２まで無線給電が十分にできなくなるといった問題が発生する。
【０２１４】
このような事態に対応する方法としては、例えば、開始ブロック２Sから一番遠いブロック２（図３５においては例えばブロック２（４）とか）に、表示システム１として２つ目のＡＣ電源を繋いで、無線給電の際の電力損失の問題を解消してもよい。
【０２１５】
尚、ブロック２（４）からの無線給電の対象となるブロック２は、開始ブロック２Sからの指示に基づき行うものとしてもよいが、ブロック２（４）が開始ブロック２Sに対し自立して無線給電を行う指示をしてもよい。但し、当然ながら開始ブロック２Sと、自立して無線給電を行うブロック２（４）との間での無線給電のトラブルを起こさないための連携を行うことは当然とする。
【０２１６】
図３６は、図３５と同様の図であるが、異なる点は、送受信部４０、無線給電用コイル２２及びスイッチ２３のペア部品の一部が間引かれたブロック２が表示システム１の中において存在するという点である。
【０２１７】
表示システム１を構成する各ブロック２において、一番外側に配置する、隣接するブロック２が存在しない側面部３側には無線給電用コイル１０及びＮＦＣ用コイル１１を含む送受信部４０のペアは不要なので、これを省いた構成とすることが可能である。尚、このペア部品をブロック２はこれを認識しておくものとする。
【０２１８】
具体的に開始ブロック２Sにおいては、ＡＣ電源とつながる側面３においては隣接するブロック２はないので、その側面３の側にはペア部品は配置されていなくとも各ブロック２への無線給電に問題はない。
【０２１９】
ブロック２（２）においては、２つの側面３の側にペア部品が配置されていない。他の各ブロック２においても、隣接するブロック２が無い側面３側には同様にペア部品が無い。
【０２２０】
このように、表示システム１の配置場所に応じてペア部品を削除したブロック２を各種パターン作っておけば、表示システム１を構成するコストを削減することが可能となる。
【０２２１】
尚、利用者にとってはブロック２の外観からどの側面部３のペア部品が削除されているかはわからないので、例えば、ブロック２のペア部品が削除されている側面部３に特定の色付けを行っておけばよい。この色を頼りに好きなサイズの表示システム１を構成すればよい。
【０２２２】
図３７は、ブロック２の各側面部３に近接して配置していた各無線給電用コイル１０を各側面部３側に対応しつつ、これに近接しない別の場所に配置した図である。
【０２２３】
これまでのように各側面部３側に無線給電用コイルを配置せずに、ブロック２の表示部３４の表示パネルが配置される面とは反対側の裏面１００に４つの収納部１０２を各側面部３の近くに形成して配置し、その収納部１０２に完全に収納可能な筐体１０１を４つ設けている。
【０２２４】
このように裏面１０２に収納可能な各筐体１０１を設けた理由の一つとして、ブロック２の側面部３の厚みを極力薄くしたい場合、その側面部３に対応して近接した無線給電用コイル１０及びＮＦＣ用コイル１１を配置させるのが困難になることがある。この場合、ＮＦＣ用コイル１１のみを側面部３に近接して配置させ、無線給電用コイル１０をこの場所から例えば裏面１００の筐体１０１に配置するようにしても良い。
【０２２５】
図３７では示していないが、もし用途があれば筐体１０１に無線給電用コイル１０に加え、ＮＦＣ用コイル１１を配置しても良い。尚、無線給電用コイル１０及びＮＦＣ用コイル１１を各側面部３側に対応しつつ、これに近接しない配置の例を示したが、これに限定さない。例えば、今後ブロック２の表示器３４がＯＬＥＤディスプレイ、マイクロＬＥＤディスプレイ等のディスプレイの側面が極めて薄くなってくると、ブロック２の裏側に筐体１０１にように突出させることが好ましくない場合がでてくる。
【０２２６】
図示はしないが、この場合各コイルを内蔵した筐体１０１となる折りたたみ可能な、例えばフレキシブルプリント基板上に配置させ、これをブロック２の各側面部３側に収納してもよい。こうすれば、隣接するブロック２同士の片方のブロック２の折りたたんだ筐体１０１を伸ばし、この筐体１０１と隣接するもう片方のブロック２の折りたたんだ筐体１０１とを、これらブロック２の裏側で各コイルの合わせズレがないように配置すれば、各ブロック２の厚みをより薄くした表示システム１を作ることができる。
【０２２７】
図３８は、図５の無線給電を行う各ブロック回路に、ＤＣ／ＡＣインバータ１１２が加わった図である。これが加わったことの意味については以下に説明する。
【０２２８】
具体的な例を説明するためにデータを記載して以下に説明する。
【０２２９】
これは、図３５で説明した無線給電方法は、１つのＡＣ電源（もしくは複数のＡＣ電源）で全てのブロック２を強制的に無線給電することで、これにより各ブロック２のシステムを稼動させるというものである。
【０２３０】
この場合、各ブロック２のバッテリー３５の充電率はそのシステム稼働中、１００％のままとなる。例えば、バッテリー３５がリチウムイオン電池である場合には、バッテリー寿命が短くなってしまう問題がある。
【０２３１】
そこで、全てのブロック２を強制的に無線給電してシステムを稼動させるのではなく、基本はバッテリー３５でシステムを稼動させ、必要に応じて優先度の高い順からブロック２のバッテリー３５を充電する方法につき以下に説明する。
【０２３２】
図３９は、全ブロック２のバッテリー３５のバッテリーの状態を示すデータテーブルである。
【０２３３】
開始ブロック２Sはこのデータテーブルを保有しており、定期的に自身を含め各ブロック２のバッテリー状態のデータを更新する。
【０２３４】
例えば、少なくとも一つ以上の任意のブロック２のバッテリー３５への無線給電において、各バッテリー３５の設定を例えば３０％〜８０％の範囲にバッテリー残量を維持するようにしておけば、この範囲から逸脱したら、無線給電によるバッテリー３５の充電を止めたり、無線給電によるバッテリー３５の充電を開始したりする。全てのブロック２に対し無線給電を行うのではなく、データテーブルに示すバッテリー残量に基づき優先的に無線給電すべきブロック２から順に充電を行う制御を行えばよい。
【０２３５】
開始ブロック２Sは自身が保有するデータテーブルを定期的に参照し、これに基づき、優先的に無線給電が必要なブロック２を選定する。尚、バッテリー３５のバッテリー残量を把握する機能を充電器３１に持たせておき、制御部３２は定期的にここからのデータを入手するものとする。
【０２３６】
開始ブロック２Sはそのデータテーブルから、開始ブロック２Sはバッテリー残量及びバッテリー残量減少率からブロック２（４）はブロック２（４）と判断し、前述の無線給電のルートにより無線給電を行う。
【０２３７】
尚、ブロック２（４）への無線給電ルートは、開始ブロック２S⇒ブロック２（２）⇒ブロック２（３）⇒ブロック２（４）となるが、開始ブロック２S、ブロック２（２）及びブロック２（３）のバッテリー残量はまだ十分あるため、無線給電の際には、これら３つのブロック２は自身への無線給電を停止するようにする。これは、図３８において、例えば、ＡＣ／ＤＣコンバータ３０内に設けたスイッチ（図示せず）をＯＦＦさせ、無線給電によるＡＣ電圧がバッテリー３５に行かないようにすることで対応可能である。
【０２３８】
これにより、より早くブロック２（４）への無線給電によるバッテリー３５への充電が可能となる。
【０２３９】
通常、ブロック２（４）のバッテリー残量を９０％まで回復するまで充電を行ってもよいが、ブロック２（９）のバッテリー残量がブロック２（４）の次に低く、さらにバッテリー残量減少率は全てのブロック２の中で一番大きいので、ブロック２（４）のバテリー３５への無線給電による充電を十分行えないことがわかる。
【０２４０】
この場合、ブロック２（４）への無線給電ルートを維持しつつ、開始ブロック２Sからブロック２（９）への無線給電を開始すればよい。この場合、開始ブロック２Sのバッテリー３５のバッテリー残量は多いので、先の説明のように、自身のバッテリー３５への充電を中止したままにしておくものとする。
【０２４１】
ブロック２（６）も上記２つのブロック２と同様にバッテリー残量が低いので、開始ブロック２S⇒ブロック２（８）⇒ブロック２（７）⇒ブロック２（６）の無線給電ルートで無線給電を行う。この場合、ブロック２（８）及びブロック２（７）のバッテリー残量は比較的多いので、開始ブロック２Sと同様に各々へのバッテリー充電を中止すれば、より早くブロック２（６）のバッテリー３５への充電が行える。
【０２４２】
以上の無線給電方法によれば、原則、どのバッテリー３５も設定されたバッテリー残量の範囲、３０％〜９０％に収まるようにすることができるので、バッテリー寿命を長くすることが可能となる。尚、一時的に無線給電を中止していたブロック２は、自身のバッテリー３５への充電が優先順位において必要となった場合には、無線給電によりバッテリー３５への充電を開始する。
【０２４３】
尚、上述のように無線給電ルートを使ってバッテリーへの充電が必要なブロック２へと無線給電を行う方法の他に、図３８に示すように、ＤＣ／ＡＣインバータ１１２を設けることで、バッテリー残量が低いブロック２のバッテリー３５に対しこれに隣接するバッテリー残量が多いブロック２のバッテリー３５から無線給電を行うことが可能となる。これは開始ブロック２Sからの双方のブロック２への指示に基づく。
【０２４４】
この指示に基づき、バッテリー残量の多いブロック２とバッテリー残量の少ないブロック２は互いに隣接する側面部３に対応する互いのスイッチ２３をＯＮさせ、バッテリー残量の多いブロック２のバッテリー３５の電力をＤＣ／ＡＣインバータ１１２を経由し、無線給電コイル部２０に発生したＡＣ電圧に基づき、バッテリー残量の少ないブロック２の無線給電コイル部２０に誘導起電力が発生することで、自身のバッテリー３５の充電が行える。
（表示部の無いブロック）
図４０は、表示部３４の無いブロックが連結された状態を示す図である。
【０２４５】
これまでの表示ブロック１を構成する各ブロック２においては、それぞれ表示部３４を備えていたが、開始ブロック２S、ブロック２（２）及びブロック２（３）にはそれぞれ表示部３４が無い。尚、各ブロック２のシステムを構成するブロック回路は、表示部３４が無い以外はこれまで説明してきた構成と同じである。
【０２４６】
このようなブロック２において、まず、開始ブロック２Sの筐体形状はこれまでの直方体形状であってもよいが、他の形状、例えば円筒形形状であってもよい。
【０２４７】
ブロック２（２）及びブロック２（３）は、筐体の一部が伸縮自在な蛇腹形状となっている。ブロック２（２）のコイル２２Ａと、開始ブロック２Sのコイル２２Ｂとが隣接した状態で連結している。ブロック２（３）のコイル２２Ａと、開始ブロック２Sのコイル２２Ｃとが隣接した状態で連結している。
【０２４８】
開始ブロック２Sの無線給電用コイル２２Ａが配置された側面部３にはＡＣ電源が接続され、自身への給電に加え、他のブロック２（２）及びブロック２（３）への無線給電が行われる。
【０２４９】
開始ブロック２Sには４つの面に対しそれぞれ４つの無線給電用コイル２２A乃至２２Dが形成されているが、ブロック２（２）及びブロック２（３）にはそれぞれ無線給電用コイル２２B及び２２Aが一つずつしか配置されていない。
【０２５０】
このような各ブロック２の構成においては、例えば、ブロック２（２）及びブロック２（３）のそれぞれのバッテリー３５にＬＥＤ照明等の負荷を接続して内蔵させても良い。また、バッテリー３５にＬＥＤ照明等の負荷を接続せずに、ブロック２（２）の無線給電用コイル２２Ｂに直列接続してＬＥＤ照明等の負荷を接続してもよい。ブロック２（３）についても同様である。開始ブロック２Sからの無線給電で、これに連結されたブロック２の無線給電用コイル２２に直列接続された該負荷に電力が供給されれば、開始ブロック２Sに連結されたブロック２（この場合、ブロック２（２）及びブロック２（３））にバッテリー３５は不要となる。用途に応じ他の回路も省いてもよい。
【０２５１】
ブロック２（２）及びブロック２（３）が蛇腹状に伸縮自在となる必然性はないが、図示はしていないが、この２つのブロック２には例えばＬＥＤなどの負荷が内蔵し、開始ブロック２Sからの無線給電により、ＬＥＤを光らせることができることである。
【０２５２】
例えば、花屋にある数々の花の中から特定の花だけに注目をあびせたい場合、ＡＣ電源につながる開始ブロック２Sを所定の場所に配置し、スマートフォン７から開始ブロックへの指示で、そこから伸びるブロック２（２）及びブロック２（３）のＬＥＤを光らせ、その特定の花にのみスポットライトをあてることが可能となる。
【０２５３】
図４１は、あるサイトＡ１１３に設置された表示システム１と、そこから離れたサイトＢ１１４に設置された表示システム１を示す図である。尚、説明をしない各ブロック２の無線給電用コイルについてはその表示を省略している。
【０２５４】
このように、複数の表示システム１が存在した状態で、サイトＡ１１３のＡＣ電源が接続された表示システム１から離れたサイトＢ１１４の表示システム１への無線給電を行いたい場合、その間を連結する表示部３４の無いブロック２（６）で連結する。
【０２５５】
この際、ブロック２（６）の無線給電部２０の配線を電力損失の低いケーブルに置き換えれば、ブロック２（６）での電力損失を低減することができる。
（ＮＦＣ用コイルを含む送受信部を備えないブロックによる配置探索と無線給電）
図４２は、図３８の無線給電を行う各ブロック回路にさらに変・復調器１２０が加わった図であるが、図６に示すＮＦＣ用コイル１１を含む送受信部４０が設けられていない構成となっている。このため、各ブロック２の配置探索は、ＮＦＣ用コイル１１に代えて、無線給電用コイル部２０を用いて行うものとする。
【０２５６】
この場合、スマートフォン７から開始ブロック２SへのＮＦＣ通信が行えなくなるので、表示システム１を構成する各ブロック２はＷｉＦｉ等の近距離通信を行う無線通信部４５を必ず備えているものとする。
【０２５７】
ＤＣ／ＡＣインバータ１１２には、システム稼働に必要な電力を供給するＡＣ／ＤＣコンバータ３０もしくはバッテリー３５のいずれかから所定のＤＣ電圧が供給されるものとする。
【０２５８】
ＤＣ／ＡＣインバータ１１２は制御部３２により制御され、その出力端子１からは必要なタイミングで所定周波数のＡＣ電圧が出力される。また出力端子２からは同様に所定周波数の搬送波ｆｃとなるＡＣ電圧が出力され、変・復調器１２０に入力される。尚、出力端子１から出力されるＡＣ電圧と出力端子２から出力されるＡＣ電圧は異なる周波数になるようにＤＣ／ＡＣインバータ１１２の機能を追加してもよい。
【０２５９】
変調器及び復調器を備えた変・復調器１２０は、入力された搬送波ｆｃに制御部３２からのデータ信号ｆｄに基づき生成した、例えば振幅変調波をその出力端子１から必要なタイミングで出力する。
【０２６０】
一方、隣接するブロック２からの振幅変調波が無線給電用コイル部２０を介して変・復調器１２０の入力端子２に入力されると、この変・復調器１２０内で復調が行われ、隣接するブロック２からのデータ信号ｆｄを取り出すことができる。
【０２６１】
図４３は、表示システム１を構成する各ブロック２の配置探索を説明するためのタイミングチャート図である。
【０２６２】
図４３のタイミングチャート図の左側には、ブロック名、コイル名及びスイッチ名の項目がある。ブロック名としては、前段ブロック、この前段ブロックに対し次の配置探索を行う後段ブロック、及び前段ブロック、後段ブロックを含む全ブロックが表記されている。
【０２６３】
各ブロック２にはそれぞれ設置された無線給電用コイル２２A乃至２２Dが、また各コイル２２A乃至２２Dに、これらに対しそれぞれ直列に接続されたスイッチ２３A乃至２３Dが表記されている。
【０２６４】
このタイミングチャートの縦軸のパラメーターは２つあり、１つ目は、コイルに印加されるＡＣ電圧であり、また２つ目は、スイッチのＯＮ、ＯＦＦである。
【０２６５】
一方、タイミングチャートの横軸のパラメーターは時間（ｔ）であり、互いに同じで所定の長さを有するタイミング期間１乃至１１が示されている。
【０２６６】
まずは、各ブロック２に対しスマートフォン７が行うフローにつき先に説明する。
【０２６７】
スマートフォン７は、予め、表示システム１を構成する各ブロック２の各々の固有情報（ＭＡＣアドレス、製造番号等）や属性情報（図８の各種情報等）を把握し、属性情報の一つであるソケットの有無も同じく把握しておく（S200）。
【０２６８】
スマートフォン７は例えばＷｉＦｉ通信により、まず、表示システム１を構成する各ブロック２に対しソケット１３を有するブロック２からの応答を要求し、各ブロック２からの回答を受け取り、開始ブロック２Sを決定し、その開始ブロック２Sとなるブロック２に対しブロックの命名データ「１」（ブロック２（１））を送信する(S201)。尚、複数のブロック２にソケットがあった場合にはスマートフォン７自身でどちらかを開始ブロック２Sと命名するものとする。
【０２６９】
スマートフォン７は、自らのクロックに合わせるための信号を各ブロック２に送信し、クロックの同期指示を行う。これにより、各ブロック２は互いにクロックが同期することとなる（S202）。
【０２７０】
スマートフォン７は、各ブロック２のクロック同期後、各ブロック２に対しスマートフォン７から配置探索開始の指示を行う。但し、この指示には各ブロック２が同時にこの指示を受け取った時点から所定のクロックパルス数をカウントした時点を時間t＝０と設定する指示も含まれている。尚、スマートフォン７からは、この指示に加え、多角形形状を有する各ブロック２の中で最大の多角形の角数の値も加えて開始ブロック２Sに送信する。例えば、図３５においては、全て４角形のため、最大の角数は「４」であるが、４角形、５角形と異なるブロック２が組み合わさっている場合には、開始ブロック２Sへは最大の角数は「５」とのデータが送信され、これを保存する。
【０２７１】
ｔ＝０となった時点で開始ブロック２S（２（１））から配置探索を開始する。また、これと同時に各ブロック２（開始ブロック２S含む）の各制御部３２は、図３５に示す各スイッチ２３Ａ乃至２３Ｄの中で、最初にスイッチ２３Ａをタイミング期間１の期間のみＯＮさせ、続いてタイミング期間２の期間のみスイッチ２３ＢをＯＮさせる。これは、各ブロック２の各クロックが同期したことに可能となる。同様に、タイミング期間３にはスイッチ２３Ｃを、タイミング期間４にはスイッチ２３ＤをＯＮさせる。次のタイミング期間からは、また各タイミング順にスイッチ２３Ａ→スイッチ２３Ｂ→スイッチ２３Ｃ→スイッチ２３ＤとＯＮさせ、この順番が原則繰り返される。この繰り返し動作は開始ブロック２Sから始まる往路、及び復路の配置探索が終了するまで行われる(S203)。
【０２７２】
ステップS203において配置探索を始めた開始ブロック２S（以下、前段ブロックとする）は、時間ｔ＝０から自身で設定した期間（この場合、４タイミング期間）である期間Ｔ１経過時に、隣接するブロック２へのアプローチを開始する。
【０２７３】
タイミング期間５の始まりと同時にスイッチ２３ＢをＯＮさせると共に、図４２のＤＣ／ＡＣコンバータ１１２の端子２から出力されるＡＣ電圧と制御部３２からの前段ブロックが後段ブロックに伝えるべき情報を含むデータｆｄとを重畳させた変調波（例えば振幅変調波）を変・復調器１２０の端子１から出力させ、これを無線給電用コイル部２０の無線給電用コイル２２Ｂに期間Ｔ２の間に印加させる。一方、ブロック２（２）（以下、後段ブロックとする）の制御部３２は、このタイミング期間５の間、スイッチ２３ＡをＯＮさせる(S204)。
【０２７４】
尚、前段ブロックのスイッチ２２Ａではなく、最初にスイッチ２３ＢがＯＮしたのでは、図３５に示すように開始ブロック２Sである前段ブロックのコイル２２Ａに対応する側面部３にソケットが設置されていることから、コイル２２Ａに対応する側面部３に隣接するブロック２が無いことを制御部３２は認識しているためである。
【０２７５】
タイミング期間５（＝期間T2＋期間T3）のうちの期間T2が経過し、図示はしないが、次の期間T4（期間T3＞期間T4）が経過すると、前段ブロックは無線給電用コイル２２Bに隣接する後段ブロックは存在しないと制御部３２は判断する（S205）。
【０２７６】
この判断は、図３５に示すように期間T2の間に後段ブロックでＯＮしているのはスイッチ２３Ｂであるため、前段ブロックのコイル２２Ｂに印加された該変調波に基づく誘導起電力は後段ブロックのコイル２２Ａには発生しないからである。従って、後段ブロックには何ら情報が伝わらないため、期間T4の間に後段ブロックから前段ブロックへの応答は無いからである。
【０２７７】
タイミング期間６（＝期間T2＋期間T3）において、前段ブロックはまだ後段ブロックの存在を確認できないため、引き続きスイッチ２３ＢはＯＮのままにする。上記と同様に無線給電用コイル２２Ｂに同じデータを含む変調波を最初から期間T2のみ印加させ、一方、後段ブロックはタイミング期間６の間、次の順番であるスイッチ２３ＢをＯＮさせる。
【０２７８】
期間T2が経過し、次の期間T4が経過すると、タイミング期間５と同様に前段ブロックはコイル２２Bに隣接する後段ブロックは無いと制御部３２は判断する（S206）。
【０２７９】
タイミング期間７（＝期間T2＋期間T4＋期間T6＋期間T7）において、前段ブロックはまだ後段ブロックの存在を確認できないため、引き続き、前段ブロックのスイッチ２３ＢはＯＮのままにする。コイル２２Ｂに該変調波を期間T2印加させ、一方、後段ブロックはタイミング期間６の間、次の順番であるスイッチ２３ＣをＯＮさせる。
【０２８０】
図３５に示すように、前段ブロックの無線給電用コイル２２Ｂと後段ブロック２２Ｃが隣接していることからもわかるように、無線給電用コイル２２Ｂに印加された該変調波に基づく誘導起電力が、後段ブロックの無線給電用コイル２２Ｃに発生するので、制御部３２はこの誘導起電力の中から変・復調器１２０を介して前段ブロックからのデータｆｄを復調する(S207)。
【０２８１】
期間T2中にデータｆｄを復調した後段ブロックは、次の期間T4内の期間T5（期間T4＞期間T5）内に自身の情報（前段ブロックのコイル２２Ｂに隣接しているコイルはコイル２２Ｃであることも含む）を変調波に含めて無線給電用コイル２２Ｃに印加する。
【０２８２】
後段ブロックの無線給電用コイル２２Ｃに印加された変調波に基づき、前段ブロックは、期間T4内に無線給電用コイル２２Ｂに発生した誘導起電力である変調波から後段ブロックからのデータｆｄを復調する(S208)。
【０２８３】
前段ブロックは期間T6内に配置探索のための後段ブロックに伝えるべきデータｆｄ（経路情報ストリングPIS）を変調波にして後段ブロックに伝える。後段ブロックは前段ブロックから伝えられたデータｆｄを期間T6内に復調する(S209)。
【０２８４】
後段ブロックは、前段ブロックからの経路情報ストリングPISを受け取ったことを示す信号を期間T7内の期間T8において前段ブロックに伝える（S210）。
【０２８５】
この信号を受け取った前段ブロックは、期間T7の終了に合わせてスイッチ２３ＢをＯＦＦする(S211)。
【０２８６】
尚、前段ブロックの次のタイミング期間８においてＯＮするスイッチは、スイッチ２３Ｄとなる。これは、前段ブロックのスイッチ２３Ｃがタイミング期間５乃至７においてＯＮとなっていたが、これがＯＦＦとなった次のタイミング期間８には、他の全てのブロックと共通にスイッチ２３ＤがＯＮとなるのと同期しているからである。
【０２８７】
以上の各ステップで開始ブロック２Sである前段ブロックから、ブロック２（２）である後段ブロックへの配置探索は終了したが、これにより、これまで前段ブロックであった開始ブロック２Sは配置探索の対象から外れ、後段ブロックであったブロック２（２）が今度前段ブロックとなる。そして、この前段ブロックに対し未探索のブロックが後段ブロックとして、この２つのブロック２の間で配置探索が行われる。
【０２８８】
次に、タイミングチャートのタイミング期間８乃至１１のステップにつき簡単に説明する。
【０２８９】
前段ブロックとなったブロック２（２）は、コイル２２Ｃでの配置探索は終わったので、次の順序である、無線給電用コイル２２Ｄでの隣接するブロック有無と、もし有りとなった場合の隣接するブロックとの情報のやり取りを行うが、タイミングチャートのタイミング期間８乃至１１において、無線給電用コイル２２Ｄに印加する変調波に対し、未探索の後段ブロックから何ら応答が４回とも無いことから、コイル２２Ｄ側には隣接するブロック２は存在しないと制御部３２は判断する。尚、表示システム１を構成するブロック２の多角形形状が全て４角形であることを前提しており、最初にスマートフォン７から各ブロック２に対し、自身が何角形であるかを問い合わせ、各ブロック２からの応答の中で一番大きな値を、前段ブロックから前述の未探索の後段ブロックへの変調波印加回数となる。従って、表示システム１の構成するブロック２の中に、例えば一つでも、６角形のものがあり、残りが全て４角形であれば、後段ブロックである未探索ブロックは４角形か６角形がわからないため、前段ブロックは必ず６回変調波を印加することが必要となる。
【０２９０】
図３５に示す残る各ブロック２のタイミングチャートを用いた配置探索は省略するが、上述の一連のステップを行うことで、ブロック２（３）乃至からブロック２（９）への往路の配置探索と、続いてブロック２（９）から開始ブロック２Sへの復路の配置探索を行うことができる。これにより、図２９に示す経路情報ストリングＰＩＳと同様の情報を収集することができ、このデータを各ブロックが把握することで開始ブロック２Sからの他のブロック２への無線給電を行うことが可能となる。
（無線給電用ブロック内蔵ＷｉＦｉのアクセスポイント化、ステーション化）
各ブロック２が無線ＬＡＮ機能（ＷｉＦｉ等）を有する場合、表示システム１を構成する各ブロック２の数が少なければ、スマートフォン７を基地局もしくはアクセスポイント（以下、ＡＰとする）として各ブロック２をステーションもしくは端末（以下、ＳＴＡとする）として、各ブロック２をスマートフォン７にＷｉＦｉ等にて接続することができる。
【０２９１】
しかしながら、各ブロック２の総数がある程度多くなると、スマートフォン７のＡＰの最大収容端末数を超えてしまい、スマートフォン７とＷｉＦｉ等で接続できないブロック２が生じることがある。
【０２９２】
そこで、ブロック２の総数がスマートフォン７のＡＰの最大接続台数を超える場合、以下の２つの対応例が考えられる。
【０２９３】
１つ目の対応例として、例えば、スマートフォン７から指示を受けた配置探索時の開始ブロック２Sは、ＷｉＦｉをＳＴＡかつＡＰモードに切り替える。この開始ブロック２SのＳＴＡはスマートフォン７のＡＰに接続したままとする。
【０２９４】
開始ブロック２Sは切り替えの完了とＡＰのＥＳＳＩＤ（Extended Service Set Identifier）をスマートフォン７の制御用アプリケーション（以下、制御アプリとする）に通知する（あるいは、スマートフォン７のＡＰが開始ブロック２SのＡＰのビーコンを検出してモード切り替え完了を検知しても良い）。
【０２９５】
図４４は、スマートフォン７及び表示システム１を構成する各ブロック２を示している。
【０２９６】
開始ブロック２SにおいてはＷｉＦｉをＳＴＡかつＡＰモードに切り替える。
【０２９７】
当初、各ブロック２のＳＴＡ１３１（１）乃至１３１（９）はスマートフォン７のＡＰと接続されるよう設定されているが、各ブロック２の中の一部のブロック２が未接続となる場合がある。
【０２９８】
そこで、スマートフォン７の制御アプリは、接続されている各ブロック２（デュアルモード動作を除く）に対して、スマートフォン７のＡＰ１３０との接続は切断して、開始ブロック２SのＡＰ１３２に接続するように指示する。これでスマートフォン７のＡＰの最大接続数を下回るので、未接続のブロック２も次々とスマートフォン７のＡＰ１３０と一旦接続して、それを開始ブロック２SのＡＰ１３２への接続に切り替えるということを繰り返すことにより、各ブロック２（２）乃至２（９）のＳＴＡ１３１（２）乃至ＳＴＡ１３１（９）が開始ブロック２SのＡＰ１３２に接続され、また同じ開始ブロック２SのＳＴＡ１３１（１）がスマートフォン７のＡＰ１３０に接続されることで未接続のブロックを解消することができる。
【０２９９】
２つ目の例として、図４５の、スマートフォン７及び表示システム１を構成する各ブロック２を示す。図４４と異なる点としては、初期段階で、例えば、開始ブロック２SのＷｉＦｉをＡＰ１３２に定め、これ以外のブロック２及びスマートフォン７を、ＳＴＡ１３１（２）乃至１３１（９）及びＳＴＡ１３３として設定する点である。このような方法においてもブロック２の総数が多くなった際、スマートフォン７が全てのブロック２につながらなくなる可能性を解消することができる。
【０３００】
ここで、ＮＦＣ用コイル１１を側面部３側に配置しているブロック２、ＮＦＣ用コイル１１を側面部３側に配置していないブロック２、及びＷｉＦｉ機能を有するブロック２における図３９で示したバッテリー残量の把握方法につき整理、及び説明する。
【０３０１】
図３５に示すように、各ブロック２にＮＦＣ用コイル１１が有る場合には、これを含むブロック２の送受信部４０を用いて開始ブロック２Sから他のブロック２に対しバッテリー残量を把握することができる。
【０３０２】
各ブロック２にＮＦＣ用コイルが無い場合には、例えば、無線給電していないブロック２に対しデータｆｄを含む変調波を印加する前述の方法を行えば、開始ブロック２Sは他のブロック２のバッテリー３５のバッテリー残量を把握することができる。
【０３０３】
各ブロック２にＷｉＦｉ機能がついている場合には、スマートフォン７から各ブロック２へのバッテリー残量の転送指示を行えば、スマートフォン７は各ブロック２からのバッテリー残量を受け取り、これを開始ブロック２Sに転送すれば把握することができる。
【０３０４】
また、各ブロック２にＷｉＦｉ機能がついており、さらに開始ブロックがＡＰ及びＳＴＡの両方の機能を有している場合には、開始ブロック２Sは他の各ブロック２に対しバッテリー残量の転送指示を行えば、各ブロック２からのバッテリー残量を開始ブロック２Sは把握することができる。
【０３０５】
それぞれのタイプに応じてバッテリー残量を開始ブロック２Sは把握し、必要なブロック２に対し無線給電を行えばよい。
【０３０６】
図３５に示す各側面部３に無線給電用コイル２２A乃至２２Dのみを備え、かつＷｉＦｉ機能を備えた各ブロック２により構成される表示システム１において、図４３で説明した配置探索方法とは異なる配置探索方法につき、図４６を用いて以下に説明する。
【０３０７】
図４６は、スマートフォン７を持った人（図示せず）と複数のブロック２で構成される表示システム１とが対向している状態を示している。
【０３０８】
表示システム１の表示面１ａは各ブロック２の表示面２ａによって構成されている。  一方、スマートフォン７の表示面７ａには表示システム１を撮影した画像が表示されているとする。
【０３０９】
上述したように、スマートフォン７は各ブロック２のそれぞれからあらかじめ固有識別情報、属性情報を入手しているものとする。その前提で、まず、スマートフォン７は、表示システム１を構成していない各ブロック２の各制御部３２に対し、表示部３４の例えば、無線給電用コイル２２Ａ側に近いところに、例えば白色ラインの表示を行うように指示する。
【０３１０】
各ブロック２は、該指示を受けて、各表示部３４の上記の位置に白色ラインの表示を行う。
【０３１１】
利用者は、各ブロック２で表示システム１を構成するにあたり、各ブロック２の表示部３４の白色ラインの表示位置が、必ず自分から見て各ブロック２の表示部３４の上部側となるようにして全てのブロック２を配置して表示システム１を構成する。尚、この時点では各ブロック２は図４６に示すように各ブロック２は各々がブロック２（１）乃至２（４）と命名されたブロックとして認識はしていない。
【０３１２】
スマートフォン７は、各ブロック２から入手した、各固有識別情報であるＭＡＣアドレス等の各々のコードと、この各コードにそれぞれ異なるカラーコードを対応付けしたデータテーブルを作成し、保存する（ここでは、ブロック数は４個であるので例えば赤、黄、緑、青とする）。
【０３１３】
スマートフォン７は、各ブロック２に対しデータテーブルのデータを送信する。
【０３１４】
各ブロック２は、受信したデータから自身の固有識別情報に対応するカラーコードに基づき各表示部３４に該当する色を表示する（例えば、表示システム１の左上側のブロックの色が青、、右上が黄、左下が赤、及び右下が緑に表示されたとする）。
【０３１５】
利用者は、スマートフォン７で、図４６に示すように、互いに異なる色が各表示部３４に表示された各ブロック２で構成される表示システム１を撮影し、スマートフォン７の表示面７ａに表示させる。
【０３１６】
スマートフォン７の制御部５０は、表示面７ａに表示された画像の画素座標において、ブロック数４個に対応する一番画素数の多い順番から上位４つの色（ブロック数に対応）と、それらの色で区画される領域の座標を特定する（S305）。
【０３１７】
スマートフォン７の表示面７ａにおいて、左上側の区画の色は青であるので、制御部３２は青で区画された領域をブロック２（１）と命名、同様に右上側は黄でブロック２（２）、左下側は赤でブロック２（３）、及び右下側は緑でブロック２（４）と命名し、これらのデータを新たな項目としてデータテーブルに追加する。
【０３１８】
スマートフォン７は、このデータテーブルのデータを各ブロック２に転送する。
【０３１９】
各ブロック２はそれぞれ自身が表示する色とテーブルデータとから、スマートフォン７によって命名されたブロック名２（１）乃至２（４）の中のどのブロックであるかを認識し、これを保存する（S307）。
【０３２０】
スマートフォン７は、表示システム１に表示したい画像を表示面７ａに表示させ、これを４分割し、それぞれの分割画像データに対しブロック２（１）乃至２（４）を関連付けさせ、各ブロック２（１）乃至２（４）に転送する。
【０３２１】
各ブロック２（１）乃至２（４）は、各分割画像データとブロック２（１）乃至２（４）との関連付けされたデータに基づき、それぞれの表示部３４に表示する。
【０３２２】
以上のように、上述した実施形態によれば、任意のブロック２からこれに隣接互いに隣接するブロック２へと無線給電を行うことが可能となる。
【０３２３】
また、ブロック２の各送受信部のデータ通信方法はＮＦＣ等の近接無線通信に代えて、光通信などにしても良い。その場合、各送受信部は例えば赤外線によりデータ通信を行う機構とし、ブロックの各側面部の中心領域はその赤外線が透過するようにする。
【０３２４】
ブロックの大きさを大きくしたり、小さくしたりする必要性や、大きなデータをより早く転送する必要性が生じた場合には、それに対応する最適な通信手段を選択すれば良い。
【０３２５】
これまで、隣接するブロック２の側面部３同士は互いに正対することを前提とした無線給電につき説明を行ってきたが、側面部３同士が必ずしも正対しない場合に対応できる側面部３の構造につき説明する。
【０３２６】
図４７Ａは、ブロック２の側面部３に新たに蓋部１４３を備えた構造を示している。この蓋部１４３の裏側には点線で示すように無線給電用コイル２２が配置されている。尚、蓋部１４３は通常は側面部３と面一となっている。
【０３２７】
図４７Ｂは、蓋部１４３が側面部３から引き出された状態を示している。この蓋部１４３の裏面には蛇腹状素材（４面とも）１４４が接続されており、この蛇腹状素材の他端はブロック２内部の所定箇所（図示せず）で固定されている。
【０３２８】
隣接するブロック２同士の側面部３に配置された蓋部１４３が互いに引き出され重なると連結するよう機構となっている。
【０３２９】
図４８は、３つのブロック２（１）乃至２（３）に対し無線給電を行うにあたり、各ブロック２の各側面部３に配置された蓋部１４３において、必要な蓋部１４３を引きして構成された屏風１４５（または衝立）である。
【０３３０】
ブロック２（１）とブロック２（２）とはそれらから引き出された蓋部１４３同士が連結し、さらに互いの蛇腹状素材１４４が引き出されている。またブロック２（２）とブロック２（３）においてもそれらから引き出された蓋部１４３同士が連結し、さらに互いの蛇腹状素材１４４が引き出されている。
【０３３１】
ブロック２にこのような構造が追加されることで、屏風１４５以外にも、所定の曲率半径を有する柱等にもブロック２を配置することが可能となる。
【０３３２】
このように蓋部１４３同士が連結されることで、無線給電における電力転送の損失を低減することが可能となる。
【０３３３】
尚、蓋部１４３の裏には無線給電用コイル１０に加えて当然ながら近距離無線通信のためのＮＦＣ用コイル１１を配置してもよい。
【０３３４】
（作用）
事前の各ブロック２の配置探索の結果を踏まえ、例えば、１００ＶのＡＣ電源から供給される電力に基づき、前段のブロックから、後段のブロックへと無線給電することができ、この無線給電により各ブロック２のシステムを稼動し続けることができる。
【０３３５】
発明のいくつかの実施の形態を説明したが、これらの実施の形態は、例として提示したものであり、発明の範囲を限定することは意図していない。これら新規な実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【０３３６】
１  表示システム、１ａ  表示面、２  表示ブロック、  ２ａ  表示面、２S  開始ブロック、３  側面部、７  スマートフォン、７ａ  表示画面、１０、２２A、２２B、２２C、２２D  無線給電用コイル、１１  ＮＦＣ用コイル、１３  ソケット、２０  無線給電用コイル部、２３A、２３B、２３C、２３D  スイッチ、３２  制御部、３３  切替部、３４  表示部、４０A、４０B、４０C、４０D  送受信部
【図１】
2019170067.tif 000003
【図２Ａ】
2019170067.tif 000004
【図２Ｂ】
2019170067.tif 000005
【図３】
2019170067.tif 000006
【図４】
2019170067.tif 000007
【図５】
2019170067.tif 000008
【図６】
2019170067.tif 000009
【図７】
2019170067.tif 000010
【図８】
2019170067.tif 000011
【図９】
2019170067.tif 000012
【図１０】
2019170067.tif 000013
【図１１】
2019170067.tif 000014
【図１２】
2019170067.tif 000015
【図１３】
2019170067.tif 000016
【図１４】
2019170067.tif 000017
【図１５】
2019170067.tif 000018
【図１６】
2019170067.tif 000019
【図１７】
2019170067.tif 000020
【図１８】
2019170067.tif 000021
【図１９】
2019170067.tif 000022
【図２０】
2019170067.tif 000023
【図２１】
2019170067.tif 000024
【図２２】
2019170067.tif 000025
【図２３】
2019170067.tif 000026
【図２４】
2019170067.tif 000027
【図２５】
2019170067.tif 000028
【図２６】
2019170067.tif 000029
【図２７】
2019170067.tif 000030
【図２８】
2019170067.tif 000031
【図２９】
2019170067.tif 000032
【図３０】
2019170067.tif 000033
【図３１】
2019170067.tif 000034
【図３２】
2019170067.tif 000035
【図３３】
2019170067.tif 000036
【図３４】
2019170067.tif 000037
【図３５】
2019170067.tif 000038
【図３６】
2019170067.tif 000039
【図３７】
2019170067.tif 000040
【図３８】
2019170067.tif 000041
【図３９】
2019170067.tif 000042
【図４０】
2019170067.tif 000043
【図４１】
2019170067.tif 000044
【図４２】
2019170067.tif 000045
【図４３】
2019170067.tif 000046
【図４４】
2019170067.tif 000047
【図４５】
2019170067.tif 000048
【図４６】
2019170067.tif 000049
【図４７Ａ】
2019170067.tif 000050
【図４７Ｂ】
2019170067.tif 000051
【図４８】
2019170067.tif 000052